(57)【特許請求の範囲】
【請求項１】
基地局に適用されるネットワークデータ処理方法であって、前記方法は、
端末によって送信されたマルチキャストグループ加入要求を受信するステップであって、前記マルチキャストグループ加入要求は、ターゲットチャネル識別子を搬送し、前記マルチキャストグループ加入要求は、前記端末の端末識別子を前記ターゲットチャネル識別子に対応するマルチキャストグループに追加することを要求するために利用され、前記マルチキャストグループ加入要求によって搬送される前記ターゲットチャネル識別子は、同じチャネル上のネットワークデータを取得する端末の端末識別子を同じマルチキャストグループに追加するために利用される、ステップと、
前記端末識別子を前記ターゲットチャネル識別子に対応する前記マルチキャストグループに追加するステップであって、前記マルチキャストグループは、前記ターゲットチャネル識別子に対応するネットワークデータを要求した端末の端末識別子を含む、ステップと、
前記マルチキャストグループに対応する無線インターフェースリソースを利用し、前記マルチキャストグループと、前記マルチキャストグループに対応するグループスケジューリング識別子とに基づいて、前記ネットワークデータを配送するステップであって、前記マルチキャストグループ内の端末は、前記グループスケジューリング識別子に基づいて前記無線インターフェースリソースをデコードして前記ネットワークデータを取得するように構成される、ステップと
を含む、方法。
【請求項２】
前記端末識別子を前記ターゲットチャネル識別子に対応する前記マルチキャストグループに追加する前記ステップは、
第１のチャネルレコード情報を取得するステップであって、前記第１のチャネルレコード情報は、少なくとも１つのレコードエントリを含み、各レコードエントリは、チャネル識別子、グループスケジューリング識別子、及びマルチキャストグループのうちの少なくとも１つ又は複数を含む、ステップと、
前記第１のチャネルレコード情報に基づいて、前記ターゲットチャネル識別子に対応する前記マルチキャストグループを決定するステップと、
前記端末識別子を前記マルチキャストグループに追加するステップと
を含む、
請求項１に記載の方法。
【請求項３】
前記マルチキャストグループに対応する無線インターフェースリソースを利用し、前記マルチキャストグループと、前記マルチキャストグループに対応するグループスケジューリング識別子とに基づいて、前記ネットワークデータを配送する前記ステップの前に、前記方法は、
前記ターゲットチャネル識別子に対応する通信リソース識別子を決定するステップであって、前記通信リソース識別子は、前記ネットワークデータを前記基地局に配送するためにゲートウェイによって利用される通信リソースを決定するために利用される、ステップと、
前記通信リソース識別子に基づいて、前記ゲートウェイによって配送された前記ネットワークデータを受信するステップと
をさらに含む、
請求項１に記載の方法。
【請求項４】
第１のチャネルレコード情報を取得する前記ステップの後に、前記方法は、
前記第１のチャネルレコード情報が、前記ターゲットチャネル識別子に対応するグループスケジューリング識別子を含まないときに、前記グループスケジューリング識別子を前記ターゲットチャネル識別子に割り当てること、又は、事前設定された構成情報から前記ターゲットチャネル識別子に対応する前記グループスケジューリング識別子を取得すること、又は、前記ターゲットチャネル識別子に対応し且つゲートウェイによって送信された前記グループスケジューリング識別子を受信することを行うステップと、
第１のターゲットレコードエントリを前記第１のチャネルレコード情報に追加するステップであって、前記第１のターゲットレコードエントリは、前記ターゲットチャネル識別子、前記グループスケジューリング識別子、及び前記端末識別子のうちの１つ又は複数を含む、ステップと、
ネットワークデータ要求を前記ゲートウェイに送信するステップであって、前記ネットワークデータ要求は、前記ターゲットチャネル識別子を搬送し、前記ネットワークデータ要求は、前記ターゲットチャネル識別子に対応する前記ネットワークデータを取得することを要求し、前記ゲートウェイによって送信された前記ネットワークデータを受信するために利用される、ステップと
をさらに含む、
請求項２に記載の方法。
【請求項５】
前記マルチキャストグループに対応する無線インターフェースリソースを利用し、前記マルチキャストグループと、前記マルチキャストグループに対応するグループスケジューリング識別子とに基づいて、前記ネットワークデータを配送する前記ステップは、
前記マルチキャストグループにおける端末識別子によって示される端末についてのチャネル品質情報に基づいて最悪チャネル品質情報を決定するステップと、
前記最悪チャネル品質情報に基づいてデータスケジューリングポリシを決定するステップと、
前記無線インターフェースリソースを利用し、前記データスケジューリングポリシと、前記グループスケジューリング識別子とに基づいて、前記ネットワークデータを配送するステップと
を含む、
請求項１に記載の方法。
【請求項６】
端末によって送信されたマルチキャストグループ加入要求を受信する前記ステップの前に、前記方法は、
前記マルチキャストグループ加入要求をゲートウェイに送信するステップであって、前記ゲートウェイは、マルチキャストグループ加入通知を返すように構成され、前記マルチキャストグループ加入通知は、前記ターゲットチャネル識別子を搬送する、ステップと、
前記マルチキャストグループ加入通知が受信されたとき、前記第１のチャネルレコード情報を取得するステップと
をさらに含む、
請求項２に記載の方法。
【請求項７】
前記方法は、
前記端末によって送信されたマルチキャストグループ脱退要求を受信するステップであって、前記マルチキャストグループ脱退要求は、前記ターゲットチャネル識別子を搬送する、ステップと、
前記ターゲットチャネル識別子に対応する前記マルチキャストグループから、前記端末識別子を削除すること、又は、
前記マルチキャストグループ脱退要求をゲートウェイに送信することであって、前記ゲートウェイは、マルチキャストグループ離脱通知を返すように構成され、前記マルチキャストグループ離脱通知は、前記ターゲットチャネル識別子を搬送する、ことと、前記マルチキャストグループ離脱通知が受信されたときに、前記ターゲットチャネル識別子に対応する前記マルチキャストグループから前記端末識別子を削除することと、
を行うステップと、
をさらに含む、
請求項１に記載の方法。
【請求項８】
前記方法は、
グループスケジューリング識別子情報をブロードキャストすること、又は、専用シグナリングを利用して、いずれの接続された端末にもグループスケジューリング識別子情報を送信することであって、前記端末は、前記グループスケジューリング識別子情報に基づいて、各チャネル識別子に対応するグループスケジューリング識別子を決定するように構成される、ことを行うステップ、又は、
前記端末識別子が、前記ターゲットチャネル識別子に対応する前記マルチキャストグループに追加された後でグループスケジューリング識別子情報を前記端末に送信するステップであって、前記端末は、前記グループスケジューリング識別子情報に基づいて、前記ターゲットチャネル識別子に対応するグループスケジューリング識別子を決定するように構成される、ステップ
をさらに含み、
前記グループスケジューリング識別子情報は、１つ又は複数のチャネル識別子とグループスケジューリング識別子との間の対応関係を含むか、又は、対応するチャネル識別子シーケンスで並べられたグループスケジューリング識別子のリストを含むか、又は、前記ターゲットチャネル識別子に対応する前記グループスケジューリング識別子を含む
請求項１に記載の方法。
【請求項９】
端末に適用されるネットワークデータ処理方法であって、前記方法は、
マルチキャストグループ加入要求を基地局に送信するステップであって、前記マルチキャストグループ加入要求は、ターゲットチャネル識別子を搬送し、前記マルチキャストグループ加入要求は、前記端末の端末識別子を前記ターゲットチャネル識別子に対応するマルチキャストグループに追加することを要求するために利用され、前記マルチキャストグループ加入要求によって搬送される前記ターゲットチャネル識別子は、同じチャネル上のネットワークデータを取得する端末の端末識別子を同じマルチキャストグループに追加するために利用され、前記マルチキャストグループは、前記ターゲットチャネル識別子に対応するネットワークデータを要求した端末の端末識別子を含む、ステップと、
前記ターゲットチャネル識別子に対応するグループスケジューリング識別子を決定するステップであって、前記基地局は、前記マルチキャストグループに対応する無線インターフェースリソースを利用して、前記マルチキャストグループと、前記マルチキャストグループに対応するグループスケジューリング識別子とに基づいて前記ネットワークデータを配送するように構成される、ステップと、
前記グループスケジューリング識別子に基づいて前記無線インターフェースリソースをデコードして、前記ネットワークデータを取得するステップと
を含む、方法。
【請求項１０】
前記ターゲットチャネル識別子に対応するグループスケジューリング識別子を決定する前記ステップは、
前記基地局によって送信されたグループスケジューリング識別子情報を取得するステップであって、前記基地局は、前記グループスケジューリング識別子情報をブロードキャストすること、又は、専用シグナリングを利用して、前記グループスケジューリング識別子情報を前記端末に送信すること、又は、前記端末識別子が、前記ターゲットチャネル識別子に対応する前記マルチキャストグループに追加された後で前記グループスケジューリング識別子情報を前記端末に送信すること、を行うように構成される、ステップと、
前記グループスケジューリング識別子情報が、１つ又は複数のチャネル識別子とグループスケジューリング識別子との間の対応関係を含むときに、前記対応関係に基づいて、前記ターゲットチャネル識別子に対応する前記グループスケジューリング識別子を決定すること、又は、
前記グループスケジューリング識別子情報が、対応するチャネル識別子シーケンスで並べられたグループスケジューリング識別子のリストを含むときに、前記ターゲットチャネル識別子に対応する前記グループスケジューリング識別子としての役割を果たすよう、前記ターゲットチャネル識別子のシーケンスに基づいて、前記グループスケジューリング識別子のリスト内に存在し且つ前記シーケンスに一致するグループスケジューリング識別子を決定すること、又は、
前記グループスケジューリング識別子情報が、前記ターゲットチャネル識別子に対応する前記グループスケジューリング識別子を含むときに、前記グループスケジューリング識別子情報に含まれる前記グループスケジューリング識別子を決定すること、
を行うステップと、を含む、
請求項９に記載の方法。
【請求項１１】
ゲートウェイに適用されるネットワークデータ処理方法であって、前記方法は、
サーバによって配送されたネットワークデータが受信されたとき、前記ネットワークデータに対応するターゲットチャネル識別子を決定するステップと、
前記ターゲットチャネル識別子に対応する通信リソース識別子を決定するステップであって、前記ターゲットチャネル識別子に対応する基地局識別子は、前記ターゲットチャネル識別子に対応する前記ネットワークデータを要求した基地局を決定するために利用され、前記通信リソース識別子は、前記ゲートウェイと前記基地局との間の通信リソースを決定するために利用される、ステップと、
前記通信リソースを利用して前記ネットワークデータを配送するステップであって、前記基地局は、前記ターゲットチャネル識別子に基づいて前記通信リソース識別子を決定し、前記通信リソース識別子に基づいて前記ネットワークデータを受信し、前記ネットワークデータを、前記ネットワークデータを要求する端末に配送するように構成される、ステップと
前記基地局によって送信されたマルチキャストグループ加入要求を受信するステップであって、前記マルチキャストグループ加入要求は、前記端末によって前記基地局に送信され、前記マルチキャストグループ加入要求は、前記ターゲットチャネル識別子を搬送し、前記マルチキャストグループ加入要求は、前記端末の端末識別子を前記ターゲットチャネル識別子に対応するマルチキャストグループに追加することを要求するために利用され、前記マルチキャストグループ加入要求によって搬送される前記ターゲットチャネル識別子は、同じチャネル上のネットワークデータを取得する端末の端末識別子を同じマルチキャストグループに追加するために利用される、ステップと、
マルチキャストグループ加入通知を前記基地局に送信するステップであって、前記マルチキャストグループ加入通知は、前記ターゲットチャネル識別子を搬送する、ステップと
を含む、方法。
【請求項１２】
前記ターゲットチャネル識別子に対応する通信リソース識別子を決定する前記ステップは、
第２のチャネルレコード情報を取得するステップであって、前記第２のチャネルレコード情報は、少なくとも１つのレコードエントリを含み、各レコードエントリは、チャネル識別子、通信リソース識別子、及び基地局識別子のうちの少なくとも１つ又は複数を含む、ステップと、
前記第２のチャネルレコード情報に基づいて、前記ターゲットチャネル識別子に対応する前記通信リソース識別子を決定するステップと
を含む、
請求項１１に記載の方法。
【請求項１３】
前記方法は、
前記基地局によって送信されたネットワークデータ要求を受信するステップであって、前記ネットワークデータ要求は、前記ターゲットチャネル識別子を搬送し、前記ネットワークデータ要求は、前記ターゲットチャネル識別子に対応する前記ネットワークデータを取得することを要求するために利用される、ステップと、
通信リソース識別子を前記ターゲットチャネル識別子及び前記基地局識別子に割り当てること、又は、事前設定された構成情報から前記ターゲットチャネル識別子及び前記基地局識別子に対応する通信リソース識別子を取得することを行うステップと、
第２のターゲットレコードエントリを前記第２のチャネルレコード情報に追加するステップであって、前記第２のターゲットレコードエントリは、前記ターゲットチャネル識別子、前記通信リソース識別子、及び前記基地局識別子のうちの１つ又は複数を含む、ステップと、
ネットワークデータ要求を前記サーバに送信するステップであって、前記ネットワークデータ要求は、前記ターゲットチャネル識別子を搬送し、前記ネットワークデータ要求は、前記ターゲットチャネル識別子に対応する前記ネットワークデータを取得することを要求するために利用される、ステップ、及び、前記サーバによって配送された前記ネットワークデータを受信するステップと
をさらに含む
請求項１２に記載の方法。
【請求項１４】
前記基地局は、前記端末識別子を前記ターゲットチャネル識別子に対応する前記マルチキャストグループに追加するように構成され、前記基地局は、前記マルチキャストグループに対応する無線インターフェースリソースを利用して、前記マルチキャストグループと、前記マルチキャストグループに対応するグループスケジューリング識別子とに基づいて前記ネットワークデータを配送するようにさらに構成され、前記マルチキャストグループ内の端末は、前記グループスケジューリング識別子に基づいて前記無線インターフェースリソースをデコードして、前記ネットワークデータを取得するように構成される
請求項１１に記載の方法。
【請求項１５】
前記方法は、
前記基地局によって送信されたマルチキャストグループ脱退要求を受信するステップであって、前記マルチキャストグループ脱退要求は、前記基地局によって前記ゲートウェイに送信され、前記マルチキャストグループ脱退要求は、前記ターゲットチャネル識別子を搬送する、ステップと、
マルチキャストグループ離脱通知を前記基地局に送信するステップであって、前記基地局は、前記ターゲットチャネル識別子に対応する前記マルチキャストグループから、前記端末識別子を削除するように構成される、ステップと
をさらに含む
請求項１４に記載の方法。
【請求項１６】
基地局に適用されるネットワークデータ処理装置であって、前記装置は、
端末によって送信されたマルチキャストグループ加入要求を受信するように構成された受信モジュールであって、前記マルチキャストグループ加入要求は、ターゲットチャネル識別子を搬送し、前記マルチキャストグループ加入要求は、前記端末の端末識別子を前記ターゲットチャネル識別子に対応するマルチキャストグループに追加することを要求するために利用され、前記マルチキャストグループ加入要求によって搬送されるターゲットチャネル識別子は、同じチャネル上のネットワークデータを取得する端末の端末識別子を同じマルチキャストグループに追加するために利用される、受信モジュールと、
前記端末識別子を前記ターゲットチャネル識別子に対応する前記マルチキャストグループに追加するように構成された追加モジュールであって、前記マルチキャストグループは、前記ターゲットチャネル識別子に対応するネットワークデータを要求した端末の端末識別子を含む、追加モジュールと、
前記マルチキャストグループに対応する無線インターフェースリソースを利用し、前記マルチキャストグループと、前記マルチキャストグループに対応するグループスケジューリング識別子とに基づいて、前記ネットワークデータを配送するように構成された送信モジュールであって、前記マルチキャストグループ内の端末は、前記グループスケジューリング識別子に基づいて前記無線インターフェースリソースをデコードして、前記ネットワークデータを取得するように構成される、送信モジュールと
を備える、装置。
【請求項１７】
前記追加モジュールは、
第１のチャネルレコード情報を取得するように構成された取得サブモジュールであって、前記第１のチャネルレコード情報は、少なくとも１つのレコードエントリを含み、各レコードエントリは、チャネル識別子、グループスケジューリング識別子、及びマルチキャストグループのうちの少なくとも１つ又は複数を含む、取得サブモジュールと、
前記第１のチャネルレコード情報に基づいて、前記ターゲットチャネル識別子に対応する前記マルチキャストグループを決定するように構成された決定サブモジュールと、
前記端末識別子を前記マルチキャストグループに追加するように構成された追加サブモジュールと
を備える
請求項１６に記載の装置。
【請求項１８】
前記装置は、
前記ターゲットチャネル識別子に対応する通信リソース識別子を決定するように構成された決定モジュールであって、前記通信リソース識別子は、前記ネットワークデータを前記基地局に配送するために、ゲートウェイによって利用される通信リソースを決定するために利用される、決定モジュールをさらに備え、
前記受信モジュールは、前記通信リソース識別子に基づいて、前記ゲートウェイによって配送された前記ネットワークデータを受信するようにさらに構成される
請求項１６に記載の装置。
【請求項１９】
前記装置は、
前記第１のチャネルレコード情報が、前記ターゲットチャネル識別子に対応するグループスケジューリング識別子を含まないとき、前記グループスケジューリング識別子を前記ターゲットチャネル識別子に割り当てること、又は、事前設定された構成情報から前記ターゲットチャネル識別子に対応する前記グループスケジューリング識別子を取得すること、又は、前記ターゲットチャネル識別子に対応し且つゲートウェイによって送信された前記グループスケジューリング識別子を受信すること、を行うように構成された決定モジュールをさらに備え、
前記追加モジュールは、第１のターゲットレコードエントリを前記第１のチャネルレコード情報に追加するようにさらに構成され、前記第１のターゲットレコードエントリは、前記ターゲットチャネル識別子、前記グループスケジューリング識別子、及び前記端末識別子のうちの１つ又は複数を含み、
前記送信モジュールは、ネットワークデータ要求を前記ゲートウェイに送信するようにさらに構成され、前記ネットワークデータ要求は、前記ターゲットチャネル識別子を搬送し、前記ネットワークデータ要求は、前記ターゲットチャネル識別子に対応する前記ネットワークデータを取得することを要求し、前記ゲートウェイによって送信された前記ネットワークデータを受信するために利用される
請求項１７に記載の装置。
【請求項２０】
前記送信モジュールは、
前記マルチキャストグループにおける端末識別子によって示される端末についてのチャネル品質情報に基づいて、最悪チャネル品質情報を決定するように構成された決定サブモジュールであって、前記決定サブモジュールは、前記最悪チャネル品質情報に基づいて、データスケジューリングポリシを決定するようにさらに構成される、決定サブモジュールと、
前記無線インターフェースリソースを利用して、前記データスケジューリングポリシと、前記グループスケジューリング識別子とに基づいて前記ネットワークデータを配送するように構成された送信サブモジュールとを備える
請求項１６に記載の装置。
【請求項２１】
前記送信モジュールは、前記マルチキャストグループ加入要求をゲートウェイに送信するようにさらに構成され、前記ゲートウェイは、マルチキャストグループ加入通知を返すように構成され、前記マルチキャストグループ加入通知は、前記ターゲットチャネル識別子を搬送し、
前記追加モジュールは、前記マルチキャストグループ加入通知が受信されたとき、前記第１のチャネルレコード情報を取得するようにさらに構成される
請求項１７に記載の装置。
【請求項２２】
前記装置は、削除モジュールをさらに備え、
前記受信モジュールは、前記端末によって送信されたマルチキャストグループ脱退要求を受信するようにさらに構成され、前記マルチキャストグループ脱退要求は、前記ターゲットチャネル識別子を搬送し、
前記削除モジュールが、前記ターゲットチャネル識別子に対応する前記マルチキャストグループから前記端末識別子を削除するように構成されるか、又は、
前記送信モジュールが、前記マルチキャストグループ脱退要求をゲートウェイに送信するようにさらに構成され、前記ゲートウェイは、マルチキャストグループ離脱通知を返すように構成され、前記マルチキャストグループ離脱通知は、前記ターゲットチャネル識別子を搬送し、
前記削除モジュールは、前記マルチキャストグループ離脱通知が、受信されたとき、前記ターゲットチャネル識別子に対応する前記マルチキャストグループから、前記端末識別子を削除するように構成される
請求項１６に記載の装置。
【請求項２３】
前記送信モジュールは、
グループスケジューリング識別子情報をブロードキャストすること、又は、
専用シグナリングを利用して、いずれの接続された端末にもグループスケジューリング識別子情報を送信することであって、前記端末は、前記グループスケジューリング識別子情報に基づいて、各チャネル識別子に対応するグループスケジューリング識別子を決定するように構成される、こと、又は、
前記端末識別子が、前記ターゲットチャネル識別子に対応する前記マルチキャストグループに追加された後で、グループスケジューリング識別子情報を前記端末に送信することであって、前記端末は、前記グループスケジューリング識別子情報に基づいて、前記ターゲットチャネル識別子に対応するグループスケジューリング識別子を決定するように構成される、こと、を行うようにさらに構成され、
前記グループスケジューリング識別子情報は、１つ又は複数のチャネル識別子とグループスケジューリング識別子との間の対応関係を含むか、又は、対応するチャネル識別子シーケンスで並べられたグループスケジューリング識別子のリストを含むか、又は、前記ターゲットチャネル識別子に対応する前記グループスケジューリング識別子を含む
請求項１６に記載の装置。
【請求項２４】
端末に適用されるネットワークデータ処理装置であって、前記装置は、
マルチキャストグループ加入要求を基地局に送信するように構成された送信モジュールであって、前記マルチキャストグループ加入要求は、ターゲットチャネル識別子を搬送し、前記マルチキャストグループ加入要求は、前記端末の端末識別子を前記ターゲットチャネル識別子に対応するマルチキャストグループに追加することを要求するために利用され、前記マルチキャストグループ加入要求によって搬送される前記ターゲットチャネル識別子は、同じチャネル上のネットワークデータを取得する端末の端末識別子を同じマルチキャストグループに追加するために利用され、前記マルチキャストグループは、前記ターゲットチャネル識別子に対応するネットワークデータを要求した端末の端末識別子を含む、送信モジュールと、
前記ターゲットチャネル識別子に対応するグループスケジューリング識別子を決定するように構成された決定モジュールであって、前記基地局は、前記マルチキャストグループに対応する無線インターフェースリソースを利用して、前記マルチキャストグループと、前記マルチキャストグループに対応するグループスケジューリング識別子とに基づいて前記ネットワークデータを配送するように構成される、決定モジュールと、
前記グループスケジューリング識別子に基づいて前記無線インターフェースリソースをデコードして、前記ネットワークデータを取得するように構成された取得モジュールと
を備える、装置。
【請求項２５】
前記決定モジュールは、
前記基地局によって送信されたグループスケジューリング識別子情報を取得するように構成された取得サブモジュールであって、前記基地局は、前記グループスケジューリング識別子情報をブロードキャストすること、又は、
専用シグナリングを利用して前記グループスケジューリング識別子情報を前記端末に送信すること、又は、
前記端末識別子が、前記ターゲットチャネル識別子に対応する前記マルチキャストグループに追加された後で前記グループスケジューリング識別子情報を前記端末に送信すること
を行うように構成される、取得サブモジュールと、
前記グループスケジューリング識別子情報が、１つ又は複数のチャネル識別子とグループスケジューリング識別子との間の対応関係を含むときに、前記対応関係に基づいて、前記ターゲットチャネル識別子に対応する前記グループスケジューリング識別子を決定すること、又は、
前記グループスケジューリング識別子情報が、対応するチャネル識別子シーケンスで並べられたグループスケジューリング識別子のリストを含むときに、前記ターゲットチャネル識別子に対応する前記グループスケジューリング識別子としての役割を果たすよう、前記ターゲットチャネル識別子のシーケンスに基づいて、前記グループスケジューリング識別子のリスト内に存在し且つ前記シーケンスに一致するグループスケジューリング識別子を決定すること、又は、
前記グループスケジューリング識別子情報が、前記ターゲットチャネル識別子に対応する前記グループスケジューリング識別子を含むときに、前記グループスケジューリング識別子情報に含まれる前記グループスケジューリング識別子を決定すること、
を行うように構成された決定サブモジュールと
を備える、
請求項２４に記載の装置。
【請求項２６】
ゲートウェイに適用されるネットワークデータ処理装置であって、前記装置は、
サーバによって配送されたネットワークデータが受信されたとき、前記ネットワークデータに対応するターゲットチャネル識別子を決定するように構成された決定モジュールであって、前記決定モジュールは、前記ターゲットチャネル識別子に対応する通信リソース識別子を決定するようにさらに構成され、前記ターゲットチャネル識別子に対応する基地局識別子は、前記ターゲットチャネル識別子に対応する前記ネットワークデータを要求した基地局を決定するために利用され、前記通信リソース識別子は、前記ゲートウェイと前記基地局との間の通信リソースを決定するために利用される、決定モジュールと、
前記通信リソースを利用して前記ネットワークデータを配送するように構成された送信モジュールであって、前記基地局は、前記ターゲットチャネル識別子に基づいて前記通信リソース識別子を決定し、前記通信リソース識別子に基づいて前記ネットワークデータを受信し、前記ネットワークデータを、前記ネットワークデータを要求する端末に配送するように構成される、送信モジュールと、
前記基地局によって送信されたマルチキャストグループ加入要求を受信するように構成された受信モジュールであって、前記マルチキャストグループ加入要求は、前記端末によって前記基地局に送信され、前記マルチキャストグループ加入要求は、前記ターゲットチャネル識別子を搬送し、前記マルチキャストグループ加入要求は、前記端末の端末識別子を前記ターゲットチャネル識別子に対応するマルチキャストグループに追加することを要求するために利用され、前記マルチキャストグループ加入要求によって搬送される前記ターゲットチャネル識別子は、同じチャネル上のネットワークデータを取得する端末の端末識別子を同じマルチキャストグループに追加するために利用される、受信モジュールと、を備え、
前記送信モジュールは、マルチキャストグループ加入通知を前記基地局に送信するようにさらに構成され、前記マルチキャストグループ加入通知は、前記ターゲットチャネル識別子を搬送する、装置。
【請求項２７】
前記決定モジュールは、
第２のチャネルレコード情報を取得するように構成された取得サブモジュールであって、前記第２のチャネルレコード情報は、少なくとも１つのレコードエントリを含み、各レコードエントリは、チャネル識別子、通信リソース識別子、及び基地局識別子のうちの少なくとも１つ又は複数を含む、取得サブモジュールと、
前記第２のチャネルレコード情報に基づいて、前記ターゲットチャネル識別子に対応する前記通信リソース識別子を決定するように構成された決定サブモジュールと
を備える、
請求項２６に記載の装置。
【請求項２８】
前記装置は、追加モジュールをさらに備え、
前記受信モジュールは、前記基地局によって送信されたネットワークデータ要求を受信するように構成され、前記ネットワークデータ要求は、前記ターゲットチャネル識別子を搬送し、前記ネットワークデータ要求は、前記ターゲットチャネル識別子に対応する前記ネットワークデータを取得することを要求するために利用され、
前記決定モジュールは、通信リソース識別子を前記ターゲットチャネル識別子及び前記基地局識別子に割り当てること、又は、事前設定された構成情報から前記ターゲットチャネル識別子及び前記基地局識別子に対応する通信リソース識別子を取得すること、を行うようにさらに構成され、
前記追加モジュールは、第２のターゲットレコードエントリを前記第２のチャネルレコード情報に追加するように構成され、前記第２のターゲットレコードエントリは、前記ターゲットチャネル識別子、前記通信リソース識別子、及び前記基地局識別子のうちの１つ又は複数を含み、
前記送信モジュールは、ネットワークデータ要求を前記サーバに送信するようにさらに構成され、前記ネットワークデータ要求は、前記ターゲットチャネル識別子を搬送し、前記ネットワークデータ要求は、前記ターゲットチャネル識別子に対応する前記ネットワークデータを取得することを要求するために利用され、
前記受信モジュールは、前記サーバによって配送された前記ネットワークデータを受信するようにさらに構成される
請求項２７に記載の装置。
【請求項２９】
前記基地局は、前記端末識別子を前記ターゲットチャネル識別子に対応する前記マルチキャストグループに追加するように構成され、前記基地局は、前記マルチキャストグループに対応する無線インターフェースリソースを利用して、前記マルチキャストグループと、前記マルチキャストグループに対応するグループスケジューリング識別子とに基づいて前記ネットワークデータを配送するようにさらに構成され、前記マルチキャストグループ内の端末は、前記グループスケジューリング識別子に基づいて前記無線インターフェースリソースをデコードして、前記ネットワークデータを取得するように構成される
請求項２６に記載の装置。
【請求項３０】
前記受信モジュールは、前記基地局によって送信されたマルチキャストグループ脱退要求を受信するようにさらに構成され、前記マルチキャストグループ脱退要求は、前記基地局によって前記ゲートウェイに送信され、前記マルチキャストグループ脱退要求は、前記ターゲットチャネル識別子を搬送し、
前記送信モジュールは、マルチキャストグループ離脱通知を前記基地局に送信するようにさらに構成され、前記基地局は、前記ターゲットチャネル識別子に対応する前記マルチキャストグループから前記端末識別子を削除するように構成される
請求項２９に記載の装置。
【請求項３１】
少なくとも１つのプロセッサと、前記少なくとも１つのプロセッサに接続されるメモリとを備えるネットワークデータ処理装置であって、前記少なくとも１つのプロセッサは、請求項１〜８のいずれか１項に記載の前記方法を実行するように構成される、
ネットワークデータ処理装置。
【請求項３２】
少なくとも１つのプロセッサと、前記少なくとも１つのプロセッサに接続されるメモリとを備えるネットワークデータ処理装置であって、前記少なくとも１つのプロセッサは、請求項９又は１０に記載の前記方法を実行するように構成される、
ネットワークデータ処理装置。
【請求項３３】
少なくとも１つのプロセッサと、前記少なくとも１つのプロセッサに接続されるメモリとを備えるネットワークデータ処理装置であって、前記少なくとも１つのプロセッサは、請求項１１〜１５のいずれか１項に記載の前記方法を実行するように構成される、
ネットワークデータ処理装置。
【請求項３４】
コンピュータ可読記録媒体であって、前記コンピュータ可読記録媒体にはコンピュータプログラムが格納され、前記コンピュータプログラムがプロセッサによって実行されたとき、請求項１〜８のいずれか１項に記載の前記方法が実行される、
コンピュータ可読記録媒体。
【請求項３５】
コンピュータ可読記録媒体であって、前記コンピュータ可読記録媒体にはコンピュータプログラムが格納され、前記コンピュータプログラムがプロセッサによって実行されたとき、請求項９又は１０に記載の前記方法が実行される、
コンピュータ可読記録媒体。
【請求項３６】
コンピュータ可読記録媒体であって、前記コンピュータ可読記録媒体にはコンピュータプログラムが格納され、前記コンピュータプログラムがプロセッサによって実行されたとき、請求項１１〜１５のいずれか１項に記載の前記方法が実行される、
コンピュータ可読記録媒体。
【請求項３７】
プログラムであって、前記プログラムがプロセッサによって実行されたとき、請求項１〜８のいずれか１項に記載の前記方法が実行される、
プログラム。
【請求項３８】
プログラムであって、前記プログラムがプロセッサによって実行されたとき、請求項９又は１０に記載の前記方法が実行される、
プログラム。
【請求項３９】
プログラムであって、前記プログラムがプロセッサによって実行されたとき、請求項１１〜１５のいずれか１項に記載の前記方法が実行される、
プログラム。
【発明の詳細な説明】
【技術分野】
【０００１】
本開示は、ネットワーク技術の分野に関し、詳細には、ネットワークデータ処理方法及び装置に関する。
【背景技術】
【０００２】
ネットワークデータサービスは、インターネット技術、マルチメディア技術、及び通信技術などを統合し、デジタルテレビジョン及びライブビデオなど、複数のタイプのネットワークデータサービスを提供するサービスである。例えば、ネットワークデータサービスは、インタラクティブパーソナリティテレビジョン（Ｉｎｔｅｒｎｅｔ  Ｐｒｏｔｏｃｏｌ  Ｔｅｌｅｖｉｓｉｏｎ、ＩＰＴＶ）サービスであり得る。ネットワークデータサービスは、複数のチャネルを提供し、異なるチャネル上において異なるネットワークデータを提供し得る。ユーザは、端末を利用して、異なるチャネル上のネットワークデータを視聴し得る。
【０００３】
ネットワークデータサービスは、サーバ、ゲートウェイ、基地局、及び端末など、複数のデバイス間のインタラクションに関する。ネットワークデータを取得する必要がある複数の端末のために、ゲートウェイは、端末毎にゲートウェイと基地局との間に通信リソースを確立し、異なる端末によって必要とされるネットワークデータを、異なる通信リソースを利用して基地局に配送する。基地局も、基地局と各端末との間に無線インターフェースリソースを確立し、ネットワークデータを、異なる無線インターフェースリソースを利用して異なる端末に配送する。
【０００４】
端末が、特定のチャネル上のネットワークデータを取得する必要があるとき、端末は、ターゲットチャネル識別子を搬送するネットワークデータ要求を、基地局及びゲートウェイを利用してサーバに送信する。サーバは、ネットワークデータ要求を受信し、ターゲットチャネル識別子に対応するネットワークデータをゲートウェイに配送する。ネットワークデータを受信した後、ゲートウェイは、ネットワークデータを、端末に対応する通信リソースを利用して基地局に配送する。基地局は、ネットワークデータを、基地局と端末との間の無線インターフェースリソースを利用して端末に配送する。このケースにおいては、端末は、ネットワークデータを受信し、ユーザ視聴のためにネットワークデータを表示する。
【０００５】
複数の端末が、同じチャネル上のネットワークデータを要求したとき、ゲートウェイは、端末の量に基づいて、ネットワークデータを複製して複数のネットワークデータを取得し、ネットワークデータを、端末に対応する通信リソースを利用して別々に基地局に送信する。ネットワークデータを、いずれかの端末に対応する通信リソースを利用して受信した後、基地局は、複数の受信されたネットワークデータを複数の端末にそれぞれ送信するために、ネットワークデータを、基地局と端末との間の無線インターフェースリソースを利用して端末に送信する。
【０００６】
本開示を実装する処理において、関連技術は、少なくとも以下の問題、即ち、複数の端末が、同じチャネル上のネットワークデータを要求したとき、複数のネットワークデータを取得するために、ネットワークデータが複製される必要があり、そして、複数のネットワークデータが異なる通信リソース及び無線インターフェースリソースを利用して別々に配送されること、を有する。結果として、送信リソースの浪費が引き起こされる。
【発明の概要】
【０００７】
関連技術における問題を解決するために、本開示の実施形態は、ネットワークデータ処理方法及び装置を提供する。技術的ソリューションは、以下の通りである。
【０００８】
第１の態様によれば、ネットワークデータ処理方法が提供され、方法は、基地局に適用され、
端末によって送信されたマルチキャストグループ加入要求を受信するステップであって、マルチキャストグループ加入要求は、ターゲットチャネル識別子を搬送し、マルチキャストグループ加入要求は、端末の端末識別子をターゲットチャネル識別子に対応するマルチキャストグループに追加することを要求するために利用される、ステップと、
端末識別子をターゲットチャネル識別子に対応するマルチキャストグループに追加するステップであって、マルチキャストグループは、ターゲットチャネル識別子に対応するネットワークデータを要求した端末の識別子を含む、ステップと、
マルチキャストグループに対応する無線インターフェースリソースを利用し、マルチキャストグループと、マルチキャストグループに対応するグループスケジューリング識別子とに基づいてネットワークデータを配送するステップであって、マルチキャストグループ内の端末は、グループスケジューリング識別子に基づいて無線インターフェースリソースをデコードして、ネットワークデータを取得するように構成される、ステップと
を含む。
【０００９】
第１の態様の第１の可能な実装において、端末識別子をターゲットチャネル識別子に対応するマルチキャストグループに追加するステップは、
第１のチャネルレコード情報を取得するステップであって、第１のチャネルレコード情報は、少なくとも１つのレコードエントリを含み、各レコードエントリは、チャネル識別子、グループスケジューリング識別子、及びマルチキャストグループのうちの少なくとも１つ又は複数を含む、ステップと、
第１のチャネルレコード情報に基づいて、ターゲットチャネル識別子に対応するマルチキャストグループを決定するステップと、
端末識別子をマルチキャストグループに追加するステップと
を含む。
【００１０】
第１の態様の第２の可能な実装において、マルチキャストグループに対応する無線インターフェースリソースを利用し、マルチキャストグループと、マルチキャストグループに対応するグループスケジューリング識別子とに基づいて、ネットワークデータを配送するステップの前に、方法は、
ターゲットチャネル識別子に対応する通信リソース識別子を決定するステップであって、通信リソース識別子は、ネットワークデータを基地局に配送するためにゲートウェイによって利用される通信リソースを決定するために利用される、ステップと、
通信リソース識別子に基づいて、ゲートウェイによって配送されたネットワークデータを受信するステップと
をさらに含む。
【００１１】
第１の態様の第３の可能な実装においては、第１のチャネルレコード情報を取得するステップの後に、方法は、
第１のチャネルレコード情報が、ターゲットチャネル識別子に対応するグループスケジューリング識別子を含まないとき、グループスケジューリング識別子をターゲットチャネル識別子に割り当てるか、又は、
事前設定された構成情報から、ターゲットチャネル識別子に対応するグループスケジューリング識別子を取得するか、又は、
ターゲットチャネル識別子に対応し、且つゲートウェイによって送信されたグループスケジューリング識別子を受信する、ステップと、
第１のターゲットレコードエントリを第１のチャネルレコード情報に追加するステップであって、第１のターゲットレコードエントリは、ターゲットチャネル識別子、グループスケジューリング識別子、及び端末識別子のうちの１つ又は複数を含む、ステップと、
ネットワークデータ要求をゲートウェイに送信するステップであって、ネットワークデータ要求は、ターゲットチャネル識別子を搬送し、ネットワークデータ要求は、ターゲットチャネル識別子に対応するネットワークデータを取得することを要求し、ゲートウェイによって送信されたネットワークデータを受信するために利用される、ステップと
をさらに含む。
【００１２】
第１の態様の第４の可能な実装においては、マルチキャストグループに対応する無線インターフェースリソースを利用して、マルチキャストグループと、マルチキャストグループに対応するグループスケジューリング識別子とに基づいて、ネットワークデータを配送するステップは、
マルチキャストグループにおける端末識別子によって示される端末についてのチャネル品質情報に基づいて、最悪チャネル品質情報を決定するステップと、
最悪チャネル品質情報に基づいて、データスケジューリングポリシを決定するステップと、
無線インターフェースリソースを利用して、データスケジューリングポリシと、グループスケジューリング識別子とに基づいてネットワークデータを配送するステップと
を含む。
【００１３】
第１の態様の第５の可能な実装においては、端末によって送信されたマルチキャストグループ加入要求を受信するステップの前に、方法は、
マルチキャストグループ加入要求をゲートウェイに送信するステップであって、ゲートウェイは、マルチキャストグループ加入通知を返すように構成され、マルチキャストグループ加入通知は、ターゲットチャネル識別子を搬送する、ステップと、
マルチキャストグループ通知が、受信されたとき、第１のチャネルレコード情報を取得するステップと、
をさらに含む。
【００１４】
第１の態様の第６の可能な実装においては、方法は、
端末によって送信されたマルチキャストグループ脱退要求を受信するステップであって、マルチキャストグループ脱退要求は、ターゲットチャネル識別子を搬送する、ステップと、
ターゲットチャネル識別子に対応するマルチキャストグループから端末識別子を削除すること、又は、
マルチキャストグループ脱退要求をゲートウェイに送信することであって、ゲートウェイは、マルチキャストグループ離脱通知を返すように構成され、マルチキャストグループ離脱通知は、ターゲットチャネル識別子を搬送する、ことと、マルチキャストグループ離脱通知が受信されたときに、ターゲットチャネル識別子に対応するマルチキャストグループから端末識別子を削除することと、
を行うステップと、をさらに含む。
【００１５】
第１の態様の第７の可能な実装においては、方法は、
グループスケジューリング識別子情報をブロードキャストすること、又は、専用シグナリングを利用して、いずれの接続された端末にもグループスケジューリング識別子情報を送信することであって、端末は、グループスケジューリング識別子情報に基づいて、各チャネル識別子に対応するグループスケジューリング識別子を決定するように構成される、こと、を行うステップ、又は、
端末識別子が、ターゲットチャネル識別子に対応するマルチキャストグループに追加された後でグループスケジューリング識別子情報を端末に送信するステップであって、端末は、グループスケジューリング識別子情報に基づいて、ターゲットチャネル識別子に対応するグループスケジューリング識別子を決定するように構成される、ステップ、
をさらに含み、
グループスケジューリング識別子情報は、１つ又は複数のチャネル識別子とグループスケジューリング識別子との間の対応関係を含むか、又は、対応するチャネル識別子シーケンスで並べられたグループスケジューリング識別子のリストを含むか、又は、ターゲットチャネル識別子に対応するグループスケジューリング識別子を含む。
【００１６】
第２の態様によれば、ネットワークデータ処理方法が提供され、方法は、端末に適用され、
マルチキャストグループ加入要求を基地局に送信するステップであって、マルチキャストグループ加入要求は、ターゲットチャネル識別子を搬送し、マルチキャストグループ加入要求は、端末の端末識別子をターゲットチャネル識別子に対応するマルチキャストグループに追加することを要求するために利用され、マルチキャストグループは、ターゲットチャネル識別子に対応するネットワークデータを要求した端末の識別子を含む、ステップと、
ターゲットチャネル識別子に対応するグループスケジューリング識別子を決定するステップであって、基地局は、マルチキャストグループに対応する無線インターフェースリソースを利用して、マルチキャストグループと、マルチキャストグループに対応するグループスケジューリング識別子とに基づいてネットワークデータを配送するように構成される、ステップと、
グループスケジューリング識別子に基づいて無線インターフェースリソースをデコードして、ネットワークデータを取得するステップと
を含む。
【００１７】
第２の態様の第１の可能な実装においては、ターゲットチャネル識別子に対応するグループスケジューリング識別子を決定するステップは、
基地局によって送信されたグループスケジューリング識別子情報を取得するステップであって、基地局は、グループスケジューリング識別子情報をブロードキャストすること、又は、専用シグナリングを利用してグループスケジューリング識別子情報を端末に送信すること、又は、端末識別子がターゲットチャネル識別子に対応するマルチキャストグループに追加された後でグループスケジューリング識別子情報を端末に送信することを行うように構成される、ステップと、
グループスケジューリング識別子情報が１つ又は複数のチャネル識別子とグループスケジューリング識別子との間の対応関係を含むときに、対応関係に基づいてターゲットチャネル識別子に対応するグループスケジューリング識別子を決定すること、又は、
グループスケジューリング識別子情報が、対応するチャネル識別子シーケンスで並べられたグループスケジューリング識別子のリストを含むときに、ターゲットチャネル識別子に対応するグループスケジューリング識別子としての役割を果たすよう、ターゲットチャネル識別子のシーケンスに基づいて、グループスケジューリング識別子リスト内に存在し且つシーケンスに一致するグループスケジューリング識別子を決定すること、又は、
グループスケジューリング識別子情報がターゲットチャネル識別子に対応するグループスケジューリング識別子を含むときに、グループスケジューリング識別子情報内に含まれるグループスケジューリング識別子を決定すること、を行うステップと
を含む。
【００１８】
第３の態様によれば、ネットワークデータ処理方法が提供され、方法は、ゲートウェイに適用され、
サーバによって配送されたネットワークデータが受信されたとき、ネットワークデータに対応するターゲットチャネル識別子を決定するステップと、
ターゲットチャネル識別子に対応する通信リソース識別子を決定するステップであって、ターゲットチャネル識別子に対応する基地局識別子が、ターゲットチャネル識別子に対応するネットワークデータを要求した基地局を決定するために利用され、通信リソース識別子は、ゲートウェイと基地局との間の通信リソースを決定するために利用される、ステップと、
通信リソースを利用してネットワークデータを配送するステップであって、基地局は、ターゲットチャネル識別子に基づいて通信リソース識別子を決定し、通信リソース識別子に基づいてネットワークデータを受信し、ネットワークデータを、ネットワークデータを要求する端末に配送するように構成される、ステップと
を含む。
【００１９】
第３の態様の第１の可能な実装において、ターゲットチャネル識別子に対応する通信リソース識別子を決定するステップは、
第２のチャネルレコード情報を取得するステップであって、第２のチャネルレコード情報は、少なくとも１つのレコードエントリを含み、各レコードエントリは、チャネル識別子、通信リソース識別子、及び基地局識別子のうちの少なくとも１つ又は複数を含む、ステップと、
第２のチャネルレコード情報に基づいて、ターゲットチャネル識別子に対応する通信リソース識別子を決定するステップと
を含む。
【００２０】
第３の態様の第２の可能な実装においては、方法は、
基地局によって送信されたネットワークデータ要求を受信するステップであって、ネットワークデータ要求は、ターゲットチャネル識別子を搬送し、ネットワークデータ要求は、ターゲットチャネル識別子に対応するネットワークデータを取得することを要求するために利用される、ステップと、
通信リソース識別子をターゲットチャネル識別子及び基地局識別子に割り当てるか、又は、事前設定された構成情報からターゲットチャネル識別子及び基地局識別子に対応する通信リソース識別子を取得する、ステップと、
第２のターゲットレコードエントリを第２のチャネルレコード情報に追加するステップであって、第２のターゲットレコードエントリは、ターゲットチャネル識別子、通信リソース識別子、及び基地局識別子のうちの１つ又は複数を含む、ステップと、
ネットワークデータ要求をサーバに送信するステップであって、ネットワークデータ要求は、ターゲットチャネル識別子を搬送し、ネットワークデータ要求は、ターゲットチャネル識別子に対応するネットワークデータを取得することを要求するために利用される、ステップと、サーバによって配送されたネットワークデータを受信するステップと
をさらに含む。
【００２１】
第３の態様の第３の可能な実装においては、方法は、
基地局によって送信されたマルチキャストグループ加入要求を受信するステップであって、マルチキャストグループ加入要求は、端末によって基地局に送信され、マルチキャストグループ加入要求は、ターゲットチャネル識別子を搬送し、マルチキャストグループ加入要求は、端末の端末識別子をターゲットチャネル識別子に対応するマルチキャストグループに追加することを要求するために利用される、ステップと、
マルチキャストグループ加入通知を基地局に送信するステップであって、マルチキャストグループ加入通知は、ターゲットチャネル識別子を搬送する、ステップと
をさらに含み、
基地局は、端末識別子をターゲットチャネル識別子に対応するマルチキャストグループに追加するように構成され、基地局は、マルチキャストグループに対応する無線インターフェースリソースを利用して、マルチキャストグループと、マルチキャストグループに対応するグループスケジューリング識別子とに基づいてネットワークデータを配送するようにさらに構成され、マルチキャストグループ内の端末は、グループスケジューリング識別子に基づいて無線インターフェースリソースをデコードして、ネットワークデータを取得するように構成される。
【００２２】
第３の態様の第４の可能な実装においては、方法は、
基地局によって送信されたマルチキャストグループ脱退要求を受信するステップであって、マルチキャストグループ脱退要求は、基地局によってゲートウェイに送信され、マルチキャストグループ脱退要求は、ターゲットチャネル識別子を搬送する、ステップと、
マルチキャストグループ離脱通知を基地局に送信するステップであって、基地局は、ターゲットチャネル識別子に対応するマルチキャストグループから、端末識別子を削除するように構成される、ステップと
をさらに含む。
【００２３】
第４の態様によれば、ネットワークデータ処理装置が提供され、装置は、第１の態様において提供される方法を実行するように構成される。
【００２４】
第５の態様によれば、ネットワークデータ処理装置が提供され、装置は、第２の態様において提供される方法を実行するように構成される。
【００２５】
第６の態様によれば、ネットワークデータ処理装置が提供され、装置は、第３の態様において提供される方法を実行するように構成される。
【００２６】
本開示の実施形態において提供される技術的ソリューションによってもたらされる有益な効果は、以下の通りである。
【００２７】
同じチャネル上のネットワークデータを取得する端末は、端末のマルチキャストグループ加入要求に基づいてマルチキャストグループにグループ化される。基地局は、１つの無線インターフェースリソースに基づいて、同じチャネル上のネットワークデータをマルチキャストグループ内の各端末に配送し、マルチキャストグループ内の各端末は、チャネルに対応するグループスケジューリング識別子に基づいてネットワークデータを取得し得る。加えて、いずれのチャネル上のネットワークデータについても、基地局は、ネットワークデータが、端末によって要求されたネットワークデータであるときだけ、ネットワークデータを端末に配送する。従って、基地局と端末との間で、より少ない無線インターフェースリソースが占有される。
【００２８】
さらに、ゲートウェイは、１つの通信リソースに基づいて、同じチャネル上のネットワークデータを基地局に配送し、基地局は、通信リソースに基づいて、ネットワークデータを取得し得る。従って、ゲートウェイと基地局との間で、より少ない通信リソースが、占有される。
【００２９】
さらに、基地局は、マルチキャストグループ内の端末に対応するチャネル品質情報から、最悪チャネル品質情報を選択し、最悪チャネル品質情報に基づいてデータスケジューリングポリシを決定し、データスケジューリングポリシに基づいてネットワークデータを配送する。従って、マルチキャストグループ内の各端末は、データ送信速度を高めるように、ネットワークデータを受信できることが保証できる。
【図面の簡単な説明】
【００３０】
【図１Ａ】本開示の実施形態に応じたネットワークデータ処理システムの概略構造図である。
【図１Ｂ】本開示の実施形態に応じたワイヤレスツーザｘのシナリオの概略図である。
【図１Ｃ】関連技術に応じたネットワークデータ配送手順の概略図である。
【図１Ｄ】本開示の実施形態に応じたネットワークデータ配送手順の概略図である。
【図２】本開示の実施形態に応じたネットワークデータ処理装置の概略構造図である。
【図３】本開示の実施形態に応じたネットワークデータ処理装置の概略構造図である。
【図４】本開示の実施形態に応じたネットワークデータ処理装置の概略構造図である。
【図５】本開示の実施形態に応じたネットワークデータ処理方法のフローチャートである。
【図６Ａ】本開示の実施形態に応じたネットワークデータ処理方法のフローチャートである。
【図６Ｂ】本開示の実施形態に応じたネットワークデータ処理方法のフローチャートである。
【図７】本開示の実施形態に応じたネットワークデータ処理方法のフローチャートである。
【図８】本開示の実施形態に応じたネットワークデータ処理方法のフローチャートである。
【図９】本開示の実施形態に応じた基地局の概略構造図である。
【図１０】本開示の実施形態に応じた端末の概略構造図である。
【図１１】本開示の実施形態に応じたゲートウェイの概略構造図である。
【発明を実施するための形態】
【００３１】
本開示の目的、技術的ソリューション、及び利点をより明らかにするために、以下において、添付の図面を参照して、本開示の実装についてさらに詳細に説明する。
【００３２】
図１Ａは、本開示の実施形態に従った、ネットワークデータ処理システムの概略構造図である。ネットワークデータ処理システムは、サーバ１０１と、ゲートウェイ１０２と、基地局１０３と、端末１０４とを含む。データケーブルを利用するか、又は別の方式で、サーバ１０１とゲートウェイ１０２との間でのデータ接続が確立され、通信リソースを利用して、ゲートウェイ１０２と基地局１０３との間でのデータ通信が実行され、無線インターフェースリソースを利用して、基地局１０３と端末１０４との間でのデータ通信が実行される。
【００３３】
ネットワークデータ処理システムは、ロングタームエボリューション（Ｌｏｎｇ  Ｔｅｒｍ  Ｅｖｏｌｕｔｉｏｎ、ＬＴＥ）、ユニバーサル移動体通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ＵＭＴＳ）、５Ｇ、又は別のシステム構造に適用され得る。ネットワークデータ処理システムは、ネットワークデータサービスをユーザに提供するように構成され、例えば、ユーザがネットワークテレビジョン又はライブビデオを視聴するシナリオに適用され得る。
【００３４】
サーバ１０１は、デジタルテレビジョン及びライブビデオなど、様々なタイプのネットワークデータを提供し、ネットワークデータをゲートウェイ１０２に配送するように構成される。サーバ１０１は、インタラクティブパーソナリティテレビジョン（Ｉｎｔｅｒｎｅｔ  Ｐｒｏｔｏｃｏｌ  Ｔｅｌｅｖｉｓｉｏｎ、ＩＰＴＶ）サーバ、サードパーティ（Ｏｖｅｒ  Ｔｈｅ  Ｔｏｐ、ＯＴＴ）サーバ、リアルタイムコンテンツ処理システム、又はストリーミングメディアサービスシステムなどであり得る。
【００３５】
ゲートウェイ１０２は、サーバ１０１によって配送されたネットワークデータを受信し、ネットワークデータを基地局１０３に配送するように構成される。ゲートウェイ１０２は、インタラクティブパーソナリティテレビジョンゲートウェイ（Ｉｎｔｅｒｎｅｔ  Ｐｒｏｔｏｃｏｌ  Ｔｅｌｅｖｉｓｉｏｎ  Ｇａｔｅｗａｙ、Ｉ−ＧＷ）、又はマルチセル／マルチキャスト協調エンティティ（Ｍｕｌｔｉ−ｃｅｌｌ／ｍｕｌｔｉｃａｓｔ  Ｃｏｏｒｄｉｎａｔｉｎｇ  Ｅｎｔｉｔｙ、ＭＣＥ）などであり得る。
【００３６】
基地局１０３は、ゲートウェイ１０２によって配送されたネットワークデータを受信し、ネットワークデータを端末１０４に配送するように構成される。基地局１０３は、進化型ノードＢ（Ｅｖｏｌｖｅｄ  ＮｏｄｅＢ、ｅＮＢ）、又は別のタイプの基地局であり得る。
【００３７】
端末１０４は、基地局１０３によって配送されたネットワークデータを受信し、ネットワークデータをユーザに表示するように構成される。端末１０４は、カスタマ構内設備（Ｃｕｓｔｏｍｅｒ  Ｐｒｅｍｉｓｅ  Ｅｑｕｉｐｍｅｎｔ、ＣＰＥ）、又はユーザ機器（Ｕｓｅｒ  Ｅｑｕｉｐｍｅｎｔ、ＵＥ）であり得る。ＣＰＥは、ネットワークセットトップボックス、又はホームゲートウェイなどであり得る。ＵＥは、モバイルフォン、タブレットコンピュータ、コンピュータ、又はウェアラブルデバイスなどであり得る。
【００３８】
図１Ｂを参照すると、ネットワークデータシステムは、ワイヤレスツーザｘ（Ｗｉｒｅｌｅｓｓ  Ｔｏ  Ｔｈｅ  ｘ、ＷＴＴｘ）のシナリオに適用され得る。端末は、少なくとも１つのＣＰＥである（単に図１Ｂにおける例として、ＣＰＥが２つ利用される）。基地局と、少なくとも１つのＣＰＥは、無線ブロードバンド上において接続され、無線ブロードバンドによって提供される無線インターフェースリソースを利用してデータ通信を実行し得る。各ＣＰＥと、少なくとも１つのＵＥは、Ｗｉ−Ｆｉ（ワイヤレスフィディリティ、Ｗｉｒｅｌｅｓｓ  Ｆｉｄｅｌｉｔｙ）接続上において接続され得るし、又は別の方式でデータ通信を実行し得る。基地局によって配送されるネットワークデータを受信したとき、特定のＣＰＥは、ネットワークデータを少なくとも１つの接続されたＵＥに配送し得る。ＵＥは、ネットワークデータをユーザに表示する。
【００３９】
基地局と、ＣＰＥは、無線ブロードバンド上において接続され得るし、コストを削減するために、基地局とＣＰＥとの間にケーブルが敷設される必要はない。加えて、いずれかのＵＥがネットワークにアクセスする必要があるとき、ＵＥは、Ｗｉ−Ｆｉ接続上において、ＣＰＥにアクセスする必要があるだけであり、それは簡単であり、基地局が時間内にネットワークデータをＵＥに提供するのを助ける。
【００４０】
代替として、端末は、ＵＥであり得る。ＵＥは、データネットワークを利用して基地局に接続され得るし、基地局によって配送されたネットワークデータをユーザに直接的に表示し得る。データネットワークは、ＵＥに加入するオペレータによって提供され得るし、又は別の方式でＵＥによって取得され得る。
【００４１】
ネットワークデータが、関連技術で処理されることになるとき、図１Ｃにおいて示されるように、同じチャネル上のネットワークデータを取得する必要がある複数の端末のために、ゲートウェイは、端末毎にゲートウェイと基地局との間に通信リソースを確立する。基地局は、基地局と各端末との間に無線インターフェースリソースを確立する。ゲートウェイは、端末の量に基づいて、ネットワークデータを複製して、複数のネットワークデータを取得し、異なる端末によって必要とされるネットワークデータを、異なる通信リソースを利用して別々に基地局に配送する。基地局は、異なる端末によって必要とされるネットワークデータを、異なる通信リソースを利用して別々に受信し、その後、ネットワークデータを、異なる無線インターフェースリソースを利用して異なる端末に配送する。
【００４２】
ネットワークデータが、本開示の実施形態におけるネットワークデータ処理システムにおいて処理されることになるとき、図１Ｄに示されるように、ターゲットチャネル上のネットワークデータを取得する端末は、端末のマルチキャストグループ加入要求に基づいてマルチキャストグループにグループ化される。ゲートウェイは、マルチキャストグループ内の端末毎に通信リソースを確立する必要はなく、ネットワークデータを複製する必要はない。基地局も、マルチキャストグループ内の端末毎に無線インターフェースリソースを確立する必要はない。ゲートウェイは、１つの通信リソースに基づいて、ターゲットチャネル識別子に対応するネットワークデータを基地局に配送する。基地局は、１つの無線インターフェースリソースに基づいて、ネットワークデータをマルチキャストグループ内の各端末に配送し、マルチキャストグループ内の各端末は、グループスケジューリング識別子に基づいてネットワークデータを取得し得る。従って、ゲートウェイと基地局との間で、より少ない通信リソースが占有され、基地局と端末との間で、より少ない無線インターフェースリソースが占有される。
【００４３】
図２は、本開示の実施形態に従った、ネットワークデータ処理装置の概略構造図である。装置は、基地局に適用され、装置は、受信モジュール２０１と、追加モジュール２０２と、送信モジュール２０３とを含む。
【００４４】
受信モジュール２０１は、端末によって送信されたマルチキャストグループ加入要求を受信するように構成される。マルチキャストグループ加入要求は、ターゲットチャネル識別子を搬送し、マルチキャストグループ加入要求は、端末の端末識別子をターゲットチャネル識別子に対応するマルチキャストグループに追加することを要求するために利用される。
【００４５】
追加モジュール２０２は、端末識別子をターゲットチャネル識別子に対応するマルチキャストグループに追加するように構成される。マルチキャストグループは、ターゲットチャネル識別子に対応するネットワークデータを要求した端末の識別子を含む。
【００４６】
送信モジュール２０３は、マルチキャストグループに対応する無線インターフェースリソースを利用して、マルチキャストグループと、マルチキャストグループに対応するグループスケジューリング識別子とに基づいてネットワークデータを配送するように構成される。マルチキャストグループ内の端末は、グループスケジューリング識別子に基づいて無線インターフェースリソースをデコードして、ネットワークデータを取得するように構成される。
【００４７】
この実施形態において提供される装置においては、同じチャネル上のネットワークデータを取得する端末は、端末のマルチキャストグループ加入要求に基づいてマルチキャストグループにグループ化される。基地局は、１つの無線インターフェースリソースに基づいて、同じチャネル上のネットワークデータをマルチキャストグループ内の各端末に配送し、マルチキャストグループ内の各端末は、チャネルに対応するグループスケジューリング識別子に基づいてネットワークデータを取得し得る。加えて、いずれのチャネル上のネットワークデータについても、基地局は、ネットワークデータが、端末によって要求されたネットワークデータであるときだけネットワークデータを端末に配送する。従って、基地局と端末との間で、より少ない無線インターフェースリソースが占有される。
【００４８】
任意選択で、追加モジュール２０２は、
第１のチャネルレコード情報を取得するように構成された取得サブモジュールであって、第１のチャネルレコード情報は、少なくとも１つのレコードエントリを含み、各レコードエントリは、チャネル識別子、グループスケジューリング識別子、及びマルチキャストグループのうちの少なくとも１つ又は複数を含む、取得サブモジュールと、
第１のチャネルレコード情報に基づいて、ターゲットチャネル識別子に対応するマルチキャストグループを決定するように構成された決定サブモジュールと、
端末識別子をマルチキャストグループに追加するように構成された追加サブモジュールとを含む。
【００４９】
任意選択で、装置は、
ターゲットチャネル識別子に対応する通信リソース識別子を決定するように構成された決定モジュールであって、通信リソース識別子は、ネットワークデータを基地局に配送するためにゲートウェイによって利用される通信リソースを決定するために利用される、決定モジュールをさらに含み、
受信モジュール２０１は、通信リソース識別子に基づいてゲートウェイによって配送されたネットワークデータを受信するようにさらに構成される。
【００５０】
任意選択で、装置は、
第１のチャネルレコード情報が、ターゲットチャネル識別子に対応するグループスケジューリング識別子を含まないときに、グループスケジューリング識別子をターゲットチャネル識別子に割り当てること、又は、事前設定された構成情報からターゲットチャネル識別子に対応するグループスケジューリング識別子を取得すること、又は、ターゲットチャネル識別子に対応し且つゲートウェイによって送信されたグループスケジューリング識別子を受信することを行うように構成された決定モジュールをさらに含み、
追加モジュール２０２は、第１のターゲットレコードエントリを第１のチャネルレコード情報に追加するようにさらに構成され、第１のターゲットレコードエントリは、ターゲットチャネル識別子、グループスケジューリング識別子、及び端末識別子のうちの１つ又は複数を含み、
送信モジュール２０３は、ネットワークデータ要求をゲートウェイに送信するようにさらに構成され、ネットワークデータ要求は、ターゲットチャネル識別子を搬送し、ネットワークデータ要求は、ターゲットチャネル識別子に対応するネットワークデータを取得することを要求し、ゲートウェイによって送信されたネットワークデータを受信するために利用される。
【００５１】
任意選択で、送信モジュール２０３は、
マルチキャストグループにおける端末識別子によって示される端末についてのチャネル品質情報に基づいて最悪チャネル品質情報を決定するように構成された決定サブモジュールを含み、決定サブモジュールは、最悪チャネル品質情報に基づいてデータスケジューリングポリシを決定するようにさらに構成される、決定サブモジュールと、
無線インターフェースリソースを利用し、データスケジューリングポリシと、グループスケジューリング識別子とに基づいてネットワークデータを配送するように構成された送信サブモジュールを含む。
【００５２】
任意選択で、送信モジュール２０３は、マルチキャストグループ加入要求をゲートウェイに送信するようにさらに構成され、ゲートウェイは、マルチキャストグループ加入通知を返すように構成され、マルチキャストグループ加入通知は、ターゲットチャネル識別子を搬送し、
追加モジュール２０２は、マルチキャストグループ通知が受信されたとき、第１のチャネルレコード情報を取得するようにさらに構成される。
【００５３】
任意選択で、装置は、削除モジュールをさらに含み、
受信モジュール２０１は、端末によって送信されたマルチキャストグループ脱退要求を受信するようにさらに構成され、マルチキャストグループ脱退要求は、ターゲットチャネル識別子を搬送し、
削除モジュールが、ターゲットチャネル識別子に対応するマルチキャストグループから、端末識別子を削除するように構成されるか、又は
送信モジュール２０３が、マルチキャストグループ脱退要求をゲートウェイに送信するようにさらに構成され、ゲートウェイは、マルチキャストグループ離脱通知を返すように構成され、マルチキャストグループ離脱通知は、ターゲットチャネル識別子を搬送し、
削除モジュールは、マルチキャストグループ離脱通知が受信されたとき、ターゲットチャネル識別子に対応するマルチキャストグループから、端末識別子を削除するように構成される。
【００５４】
任意選択で、送信モジュール２０３は、
グループスケジューリング識別子情報をブロードキャストすること、又は、
専用シグナリングを利用して、いずれの接続された端末にもグループスケジューリング識別子情報を送信することであって、端末は、グループスケジューリング識別子情報に基づいて、各チャネル識別子に対応するグループスケジューリング識別子を決定するように構成される、こと、又は、
端末識別子が、ターゲットチャネル識別子に対応するマルチキャストグループに追加された後でグループスケジューリング識別子情報を端末に送信することであって、端末は、グループスケジューリング識別子情報に基づいて、ターゲットチャネル識別子に対応するグループスケジューリング識別子を決定するように構成される、こと、
を行うようにさらに構成され、
グループスケジューリング識別子情報は、１つ又は複数のチャネル識別子とグループスケジューリング識別子との間の対応関係を含むか、又は、対応するチャネル識別子シーケンスで並べられたグループスケジューリング識別子のリストを含むか、又は、ターゲットチャネル識別子に対応するグループスケジューリング識別子を含む。
【００５５】
図３は、本開示の実施形態に応じたネットワークデータ処理装置の概略構造図である。装置は、端末に適用され、装置は、送信モジュール３０１と、決定モジュール３０２と、取得モジュール３０３とを含む。
【００５６】
送信モジュール３０１は、マルチキャストグループ加入要求を基地局に送信するように構成される。マルチキャストグループ加入要求は、ターゲットチャネル識別子を搬送し、マルチキャストグループ加入要求は、端末の端末識別子をターゲットチャネル識別子に対応するマルチキャストグループに追加することを要求するために利用され、マルチキャストグループは、ターゲットチャネル識別子に対応するネットワークデータを要求した端末の識別子を含む。
【００５７】
決定モジュール３０２は、ターゲットチャネル識別子に対応するグループスケジューリング識別子を決定するように構成される。基地局は、マルチキャストグループに対応する無線インターフェースリソースを利用して、マルチキャストグループと、マルチキャストグループに対応するグループスケジューリング識別子とに基づいてネットワークデータを配送するように構成される。
【００５８】
取得モジュール３０３は、グループスケジューリング識別子に基づいて無線インターフェースリソースをデコードして、ネットワークデータを取得するように構成される。
【００５９】
この実施形態において提供される装置では、マルチキャストグループ加入要求は、基地局に送信され、端末の端末識別子は、ターゲットチャネル識別子に対応するマルチキャストグループに追加され、ターゲットチャネル識別子に対応するグループスケジューリング識別子が決定され、ネットワークデータを取得するために、グループスケジューリング識別子に基づいて無線インターフェースリソースがデコードされる。従って、基地局について、基地局は、１つの無線インターフェースリソースに基づいてネットワークデータをマルチキャストグループ内の各端末に配送し得るし、端末毎に無線インターフェースリソースを個別に確立する必要はない。いずれのチャネル上のネットワークデータについても、基地局は、ネットワークデータが、端末によって要求されたネットワークデータであるときだけネットワークデータを端末に配送する。従って、基地局と端末との間で、より少ない無線インターフェースリソースが占有される。
【００６０】
任意選択で、決定モジュール３０２は、
基地局によって送信されたグループスケジューリング識別子情報を取得するように構成された取得サブモジュールであって、基地局は、グループスケジューリング識別子情報をブロードキャストすること、又は、専用シグナリングを利用してグループスケジューリング識別子情報を端末に送信すること、又は、端末識別子がターゲットチャネル識別子に対応するマルチキャストグループに追加された後でグループスケジューリング識別子情報を端末に送信することを行うように構成される、取得サブモジュールと、
グループスケジューリング識別子情報が１つ又は複数のチャネル識別子とグループスケジューリング識別子との間の対応関係を含むときに、対応関係に基づいてターゲットチャネル識別子に対応するグループスケジューリング識別子を決定すること、又は、グループスケジューリング識別子情報が、対応するチャネル識別子シーケンスで並べられたグループスケジューリング識別子のリストを含むときに、ターゲットチャネル識別子に対応するグループスケジューリング識別子としての役割を果たすよう、ターゲットチャネル識別子のシーケンスに基づいて、グループスケジューリング識別子リスト内に存在し且つシーケンスに一致するグループスケジューリング識別子を決定すること、又は、グループスケジューリング識別子情報が、ターゲットチャネル識別子に対応するグループスケジューリング識別子を含むときに、グループスケジューリング識別子情報内に含まれるグループスケジューリング識別子を決定することを行うように構成された決定サブモジュールとを含む。
【００６１】
図４は、本開示の実施形態に応じたネットワークデータ処理装置の概略構造図である。装置は、ゲートウェイに適用され、装置は、決定モジュール４０１と、取得モジュール４０２と、送信モジュール４０３とを含む。
【００６２】
決定モジュール４０１は、サーバによって配送されたネットワークデータが受信されたとき、ネットワークデータに対応するターゲットチャネル識別子を決定するように構成される。
【００６３】
決定モジュール４０１は、ターゲットチャネル識別子に対応する通信リソース識別子を決定するようにさらに構成される。ターゲットチャネル識別子に対応する基地局識別子が、ターゲットチャネル識別子に対応するネットワークデータを要求した基地局を決定するために利用され、通信リソース識別子は、ゲートウェイと基地局との間の通信リソースを決定するために利用される。
【００６４】
送信モジュール４０３は、通信リソースを利用してネットワークデータを配送するように構成される。基地局は、ターゲットチャネル識別子に基づいて通信リソース識別子を決定し、通信リソース識別子に基づいてネットワークデータを受信し、ネットワークデータを、ネットワークデータを要求する端末に配送するように構成される。
【００６５】
この実施形態において提供される装置では、サーバによって配送されたネットワークデータが受信されたとき、ネットワークデータに対応するターゲットチャネル識別子が決定され、ターゲットチャネル識別子に対応する通信リソース識別子が決定され、通信リソース識別子を利用して決定された通信リソースを利用して、ネットワークデータが配送される。従って、同じチャネル上のネットワークデータは、１つの通信リソースに基づいて基地局に配送され、基地局は、通信リソースに基づいてネットワークデータを取得し得る。従って、ゲートウェイと基地局との間で、より少ない通信リソースが占有される。
【００６６】
任意選択で、決定モジュール４０１は、
第２のチャネルレコード情報を取得するように構成された取得サブモジュールであって、第２のチャネルレコード情報は、少なくとも１つのレコードエントリを含み、各レコードエントリは、チャネル識別子、通信リソース識別子、及び基地局識別子のうちの少なくとも１つ又は複数を含む、取得サブモジュールと、
第２のチャネルレコード情報に基づいて、ターゲットチャネル識別子に対応する通信リソース識別子を決定するように構成された決定サブモジュールとを含む。
【００６７】
任意選択で、装置は、受信モジュールと、追加モジュールとをさらに含み、
受信モジュールは、基地局によって送信されたネットワークデータ要求を受信するように構成され、ネットワークデータ要求は、ターゲットチャネル識別子を搬送し、ネットワークデータ要求は、ターゲットチャネル識別子に対応するネットワークデータを取得することを要求するために利用され、
決定モジュール４０１は、通信リソース識別子をターゲットチャネル識別子及び基地局識別子に割り当てること、又は、事前設定された構成情報からターゲットチャネル識別子及び基地局識別子に対応する通信リソース識別子を取得することを行うようにさらに構成され、
追加モジュールは、第２のターゲットレコードエントリを第２のチャネルレコード情報に追加するように構成され、第２のターゲットレコードエントリは、ターゲットチャネル識別子、通信リソース識別子、及び基地局識別子のうちの１つ又は複数を含み、
送信モジュール４０３は、ネットワークデータ要求をサーバに送信するようにさらに構成され、ネットワークデータ要求は、ターゲットチャネル識別子を搬送し、ネットワークデータ要求は、ターゲットチャネル識別子に対応するネットワークデータを取得することを要求するために利用され、
受信モジュールは、サーバによって配送されたネットワークデータを受信するようにさらに構成される。
【００６８】
任意選択で、装置は、
基地局によって送信されたマルチキャストグループ加入要求を受信するように構成された受信モジュールであって、マルチキャストグループ加入要求は、端末によって基地局に送信され、マルチキャストグループ加入要求は、ターゲットチャネル識別子を搬送し、マルチキャストグループ加入要求は、端末の端末識別子をターゲットチャネル識別子に対応するマルチキャストグループに追加することを要求するために利用される、受信モジュールをさらに含み、
送信モジュール４０３は、マルチキャストグループ加入通知を基地局に送信するようにさらに構成され、マルチキャストグループ加入通知は、ターゲットチャネル識別子を搬送し、
基地局は、端末識別子をターゲットチャネル識別子に対応するマルチキャストグループに追加するように構成され、基地局は、マルチキャストグループに対応する無線インターフェースリソースを利用して、マルチキャストグループと、マルチキャストグループに対応するグループスケジューリング識別子とに基づいてネットワークデータを配送するようにさらに構成され、マルチキャストグループ内の端末は、グループスケジューリング識別子に基づいて無線インターフェースリソースをデコードして、ネットワークデータを取得するように構成される。
【００６９】
任意選択で、装置は、
基地局によって送信されたマルチキャストグループ脱退要求を受信するように構成された受信モジュールであって、マルチキャストグループ脱退要求は、基地局によってゲートウェイに送信され、マルチキャストグループ脱退要求は、ターゲットチャネル識別子を搬送する、受信モジュールをさらに含み、
送信モジュール４０３は、マルチキャストグループ離脱通知を基地局に送信するようにさらに構成され、基地局は、ターゲットチャネル識別子に対応するマルチキャストグループから、端末識別子を削除するように構成される。
【００７０】
上述の任意選択の技術的ソリューションの全ては、任意の組み合わせを利用して、本開示の任意選択の実施形態を形成し得る。本明細書においては詳細は説明されない。
【００７１】
上述の実施形態において提供されるネットワークデータ処理装置が、ネットワークデータを処理するとき、上述の機能モジュールの分割は、説明のための例としてのみ利用されることが留意されるべきである。実際の適用においては、上述の機能は、要件に基づいて、異なる機能モジュールに割り当てられて実装され得るし、言い換えると、基地局、端末、又はゲートウェイの内部構造は、上で説明された機能の全て又はいくつかを実装するための異なる機能モジュールに分割される。
【００７２】
図５は、本開示の実施形態に応じたネットワークデータ処理方法のフローチャートである。図５を参照すると、方法における対話主体は、サーバと、ゲートウェイと、基地局と、端末とを含み、方法は、以下のステップを含む。
【００７３】
５０１．サーバが、ネットワークデータをゲートウェイに配送する。
【００７４】
ネットワークデータは、記録されたネットワークデータであり得るし、別のデバイスによって記録及び編集され、その後、サーバに送信され得る。サーバは、ネットワークデータを事前に保持し得る。代替として、ネットワークデータは、ライブストリーミングデータであり得る。撮影した後、撮影デバイスは、ライブストリーミングデータを取得し、ライブストリーミングデータをサーバに送信し得る。サーバは、ライブストリーミングデータを受信し得る。
【００７５】
チャネル識別子は、対応するチャネルを一意的に決定するために利用され、チャネルのインターネットプロトコル（Ｉｎｔｅｒｎｅｔ  Ｐｒｏｔｏｃｏｌ、ＩＰ）アドレス、チャネル名、サーバによってチャネルに割り当てられた番号、又はライブストリーミングルーム名などであり得る。ネットワークデータは、チャネル識別子に対応し得る。例えば、記録された番組は、チャネル名に対応し得るし、ライブストリーミングデータは、ライブストリーミングルーム名に対応し得る。サーバは、異なるチャネル上のネットワークデータを区別するために、対応するチャネル識別子を、配送されるネットワークデータに追加し得る。
【００７６】
５０２．ゲートウェイは、サーバによって配送されたネットワークデータを受信し、ネットワークデータに対応するターゲットチャネル識別子を決定し、第２のチャネルレコード情報を取得し、ターゲットチャネル識別子に対応する通信リソース識別子を決定し、通信リソースを利用して、ネットワークデータを基地局に配送する。
【００７７】
サーバによって配送されたネットワークデータを受信した後、ゲートウェイは、ネットワークデータのターゲットチャネル識別子を決定し、第２のチャネルレコード情報を利用して、ターゲットチャネル識別子に対応する通信リソース識別子を決定する。第２のチャネルレコード情報は、各基地局によって現在必要とされるネットワークデータのチャネル識別子を記録するために利用される。第２のチャネルレコード情報は、各基地局から受信されたネットワークデータ要求に基づいてゲートウェイによって生成され、各基地局からのネットワークデータ配送停止要求に基づいて更新される。第２のチャネルレコード情報は、表１に示されるものであり得るし、第２のチャネルレコード情報は、少なくとも１つのレコードエントリを含む。各レコードエントリは、チャネル識別子、通信リソース識別子、及び基地局識別子のうちの少なくとも１つ又は複数を含む。
【００７８】
【表１】
0006868120.tif 000002
【００７９】
通信リソース識別子は、ゲートウェイと基地局との間の通信リソースを決定するために利用される。通信リソースは、ゲートウェイと基地局との間でデータ通信が実行されるチャネルであり、ネットワークデータを配送するために利用され得る。通信リソースは、無線アクセスベアラ（Ｒａｄｉｏ  Ａｃｃｅｓｓ  Ｂｅａｒｅｒ、ＲＡＢ）、又はＳ１ベアラ（Ｓ１  ｂｅａｒｅｒ）などのユーザプレーンベアラであり得る。それに対応して、通信リソース識別子は、ユーザプレーンベアラの名前、番号、又はＩＰアドレスなどであり得る。加えて、通信リソースは、代替として、汎用パケット無線サービストンネリングプロトコル（Ｇｅｎｅｒａｌ  Ｐａｃｋｅｔ  Ｒａｄｉｏ  Ｓｅｒｖｉｃｅ  Ｔｕｎｎｅｌｉｎｇ  Ｐｒｏｔｏｃｏｌ、ＧＴＰ）トンネルであり得る。それに対応して、通信リソース識別子は、ＧＴＰトンネルのＩＰアドレス、ユーザデータグラムプロトコル（Ｕｓｅｒ  Ｄａｔａｇｒａｍ  Ｐｒｏｔｏｃｏｌ、ＵＤＰ  ｌ）ポート、又はトンネルエンドポイント識別子（Ｔｕｎｎｅｌ  Ｅｎｄ  Ｐｏｉｎｔ  Ｉｄｅｎｔｉｆｉｅｒ、ＴＥＩＤ）などであり得る。
【００８０】
基地局識別子は、対応する基地局を一意的に決定するために利用され、例えば、基地局の名前又は番号である。
【００８１】
チャネル識別子と、通信リソース識別子と、基地局識別子とは互いに対応する。チャネル識別子がターゲットチャネル識別子である例においては、ターゲットチャネル識別子に対応するネットワークデータを要求した基地局を決定するために、ターゲットチャネル識別子に対応する基地局識別子が利用される。ターゲットチャネル識別子を搬送し、且つ基地局によって送信されたネットワークデータ要求を受信したとき、ゲートウェイは、対応する基地局識別子を第２のチャネルレコード情報に追加し得る。基地局によって送信されたネットワークデータ配送停止要求を受信した後、ゲートウェイは、基地局識別子を削除し得る。代替として、基地局に接続された端末のうちに、ターゲットチャネル識別子に対応するネットワークデータを要求する端末が存在しないと決定した後、ゲートウェイは、基地局識別子を削除し得る。ターゲットチャネル識別子に対応するネットワークデータが、基地局識別子に対応する基地局に配送されるときに利用される通信リソースを決定するために、ターゲットチャネル識別子と基地局識別子の両方に対応する通信リソース識別子が利用される。
【００８２】
いずれの基地局についても、基地局が、ターゲットチャネル識別子に対応するネットワークデータを要求する複数の端末に接続されるとき、ゲートウェイは、１つのネットワークデータを基地局に送信する必要があるだけであり、端末毎に複数の同じネットワークデータを基地局に送信する必要がないように、ターゲットチャネル識別子と基地局識別子との間の対応が確立される。
【００８３】
ネットワークデータに対応するターゲットチャネル識別子が「マルチキャストＩＰ１」である例においては、ゲートウェイは、第２のチャネルレコード情報を問い合わせ、「マルチキャストＩＰ１」に対応する通信リソース識別子が、「ＲＡＢ１」及び「ＲＡＢ２」であると決定し、通信リソース「ＲＡＢ１」を利用して１つのネットワークデータを基地局「ｅＮＢ１」に送信し、通信リソース「ＲＡＢ２」を利用して、もう１つのネットワークデータを基地局「ｅＮＢ２」に送信する。
【００８４】
関連技術においては、複数の基地局が、同じターゲットチャネル識別子に対応するネットワークデータを要求したとき、基地局毎に、ゲートウェイは、基地局に接続された端末のうちの、ネットワークデータを要求した端末の量を決定する必要があり、端末の量に基づいてネットワークデータを複製して複数のネットワークデータを取得し、複数の同じネットワークデータを、複数の通信リソースを利用して別々に基地局に送信する。しかし、この実施形態においては、基地局毎に、ゲートウェイは、１つのネットワークデータを、ゲートウェイと基地局との間の通信リソースを利用して基地局に送信する必要があるだけである。従って、より少ない通信リソースが占有され、ネットワークデータの複製の必要とされる量は削減され、ゲートウェイと基地局との間で、より少ない送信リソースが占有される。
【００８５】
５０３．基地局は、ゲートウェイによって配送されたネットワークデータを受信し、ネットワークデータに対応するターゲットチャネル識別子を決定し、第１のチャネルレコード情報を取得し、ターゲットチャネル識別子に対応するマルチキャストグループ及びグループスケジューリング識別子を決定し、マルチキャストグループに対応する無線インターフェースリソースを利用して、マルチキャストグループと、マルチキャストグループに対応するグループスケジューリング識別子とに基づいてネットワークデータを配送する。
【００８６】
サーバによって配送されたネットワークデータを受信した後、基地局は、ネットワークデータのターゲットチャネル識別子を決定し、第１のチャネルレコード情報を利用して、ターゲットチャネル識別子に対応するマルチキャストグループ及びグループスケジューリング識別子を決定する。
【００８７】
第１のチャネルレコード情報は、表２に示されるものであり得るし、第１のチャネルレコード情報は、少なくとも１つのレコードエントリを含む。各レコードエントリは、互いに対応するチャネル識別子、グループスケジューリング識別子、及びマルチキャストグループのうちの少なくとも１つ又は複数を含む。
【００８８】
【表２】
0006868120.tif 000003
【００８９】
グループスケジューリング識別子は、無線インターフェースリソースをデコードしてネットワークデータを取得するために利用され、グループスケジューリング識別子は、グループ無線ネットワーク一時識別子（Ｇｒｏｕｐ−Ｒａｄｉｏ  Ｎｅｔｗｏｒｋ  Ｔｅｍｐｏｒａｒｙ  Ｉｄｅｎｔｉｆｉｅｒ、Ｇ−ＲＮＴＩ）であり得る。マルチキャストグループは、同じチャネル上のネットワークデータを要求する少なくとも１つの端末を集約し、統合された無線インターフェースリソースを利用して、ネットワークデータをマルチキャストグループ内の各端末に配送するように構成される。
【００９０】
チャネル識別子、グループスケジューリング識別子、及びマルチキャストグループは、互いに対応する。チャネル識別子がターゲットチャネル識別子である例においては、ターゲットチャネル識別子に対応するマルチキャストグループは、ターゲットチャネル識別子に対応するネットワークデータを要求した端末の識別子を含む。ターゲットチャネル識別子に対応するネットワークデータが、マルチキャストグループに対応する無線インターフェースリソースを利用して配送されるとき、マルチキャストグループ内の端末は、ターゲットチャネル識別子に対応するグループスケジューリング識別子に基づいて無線インターフェースリソースをデコードしてネットワークデータを取得する。例えば、表３に示されるように、無線インターフェースリソースは、「チャネル１」上のネットワークデータ、「チャネル２」上のネットワークデータ、及び「チャネル３」上のネットワークデータを搬送し、「チャネル１」上のネットワークデータを取得するために、無線インターフェースリソースは、グループスケジューリング識別子「Ｇ−ＲＮＴＩ１」を利用してデコードされる。
【００９１】
【表３】
0006868120.tif 000004
【００９２】
任意選択で、基地局のカバレージエリアは複数のセルを含み得るし、異なるセル内の端末に対して、基地局は、異なるグループスケジューリング識別子を利用してネットワークデータを配送し得る。従って、第１のチャネルレコード情報は、セル識別子情報をさらに含み得るし、セル識別子情報は、チャネル識別子、グループスケジューリング識別子、及びマルチキャストグループに対応する。基地局は、第１のチャネルレコード情報を問い合わせ、各セル識別子情報に対応するマルチキャストグループ及びグループスケジューリング識別子に基づいてネットワークデータを別々に配送する。代替として、基地局は、複数の第１のチャネルレコード情報を保持し、第１のチャネルレコード情報とセル識別子情報との間の対応関係を確立し、異なるセルの第１のチャネルレコード情報を区別し、各セル識別子情報に対応する第１のチャネルレコード情報を問い合わせ、各第１のチャネルレコード情報内のマルチキャストグループ及びグループスケジューリング識別子に基づいてネットワークデータを別々に配送する。
【００９３】
ターゲットチャネル識別子に対応するマルチキャストグループ及びグループスケジューリング識別子を決定した後、基地局は、マルチキャストグループに対応する無線インターフェースリソースを利用して、マルチキャストグループ及びグループスケジューリング識別子に基づいてネットワークデータを配送し得る。
【００９４】
無線インターフェースリソースを利用してネットワークデータを配送する処理は、以下のステップ５０３１から５０３３を含み得る。
【００９５】
５０３１．基地局は、マルチキャストグループにおける端末識別子によって示される端末についてのチャネル品質情報に基づいて最悪チャネル品質情報を決定する。
【００９６】
マルチキャストグループにおける端末識別子によって示される端末は、チャネル品質情報を基地局に送信し、基地局は、端末のチャネル品質情報を受信して保持し得る。チャネル品質情報は、対応する端末と基地局との間でデータ通信が実行されるときのチャネル品質を示すために利用される。端末のチャネル品質が変化したとき、端末によって送信されるチャネル品質情報も変化する。
【００９７】
実際の適用においては、チャネル品質情報は、チャネル品質インジケータ（Ｃｈａｎｎｅｌ  Ｑｕａｌｉｔｙ  Ｉｎｄｉｃａｔｏｒ、ＣＱＩ）であり得るし、より小さいＣＱＩは、対応する端末と基地局との間のより悪いチャネル品質を示す。このケースにおいては、基地局は、マルチキャストグループにおける端末識別子のＣＱＩから、最も小さいＣＱＩを選択し得るし、最も小さいＣＱＩは、最悪チャネル品質情報を示し、最も小さいＣＱＩに対応する端末識別子は、マルチキャストグループ内の最悪チャネル品質を有する端末識別子である。
【００９８】
５０３２．基地局は、最悪チャネル品質情報に基づいてデータスケジューリングポリシを決定する。
【００９９】
マルチキャストグループにおける端末識別子によって示される端末についてのチャネル品質情報における最悪チャネル品質情報を決定した後、基地局は、データスケジューリングポリシを決定し得る。
【０１００】
具体的には、基地局は、チャネル品質情報に基づいて、ネットワークデータを少なくとも１つのデータブロックに分割し、データスケジューリングポリシを決定し得る。データスケジューリングポリシは、各データブロックが搬送される時間−周波数リソースブロックロケーション、各データブロックのサイズ、及び各データブロックの変調符号化方式（Ｍｏｄｕｌａｔｉｏｎ  ａｎｄ  Ｃｏｄｉｎｇ  Ｓｃｈｅｍｅ、ＭＣＳ）のうちの少なくとも１つを含む。
【０１０１】
実際の適用においては、基地局は、チャネル品質情報とデータスケジューリングポリシとの間の対応関係を取得し、最悪チャネル品質情報及び対応関係に基づいて、利用されるデータスケジューリングポリシを決定し得る。例えば、対応関係が表４に示されている。最悪チャネル品質情報が「ＣＱＩｘ」であると決定した後、基地局は、ネットワークデータが２つのデータブロックに分割されると決定し得る。１つのデータブロックは、時間−周波数リソースブロックロケーションｍにおいて搬送され、データブロックのサイズはａであり、データブロックのＭＣＳはｂである。他のデータブロックは時間−周波数リソースブロックロケーションｎにおいて搬送され、データブロックのサイズはｃであり、データブロックのＭＣＳはｄである。
【０１０２】
【表４】
0006868120.tif 000005
【０１０３】
５０３３．基地局は、マルチキャストグループに対応する無線インターフェースリソースを利用し、データスケジューリングポリシ及びグループスケジューリング識別子に基づいてネットワークデータを配送する。
【０１０４】
実際の適用においては、最悪チャネル品質情報を有する端末は、ネットワークデータを受信する最悪能力を有する。基地局は、マルチキャストグループ内の端末に対応するチャネル品質情報における最悪チャネル品質情報を選択し、最悪チャネル品質情報に基づいて、データスケジューリングポリシを決定して、ネットワークデータを配送する。従って、マルチキャストグループ内の最悪チャネル品質情報を有する端末が、ネットワークデータの受信に成功することができることが保証でき、そのため、マルチキャストグループ内の各端末が、ネットワークデータの受信に成功でき、マルチキャストグループ内のいずれの端末も、ネットワークデータの受信に成功できることが保証できる。
【０１０５】
基地局が、チャネル識別子に基づいて、対応するグループスケジューリング識別子を決定し、マルチキャストグループ内の端末についてのチャネル品質情報に基づいてデータスケジューリングポリシを決定した後、基地局は、マルチキャストグループに対応する無線インターフェースリソースを利用して、データスケジューリングポリシ及びグループスケジューリング識別子に基づいてネットワークデータを配送し得る。
【０１０６】
具体的には、無線インターフェースリソースは、複数のリソースブロックを含み得るし、各リソースブロックは、スロット、サブキャリア、又はアンテナポートなどであり得る。無線インターフェースリソースは、リソースブロックに基づいて大量のデータを搬送し得る。例えば、無線インターフェースリソースは、物理データチャネル、物理制御チャネル、及び物理ブロードキャストチャネルを含み得る。物理データチャネルは、物理ダウンリンク共用チャネル（Ｐｈｙｓｉｃａｌ  Ｄｏｗｎｌｉｎｋ  Ｓｈａｒｅｄ  Ｃｈａｎｎｅｌ、ＰＤＳＣＨ）であり得るし、物理制御チャネルは、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）であり得る。
【０１０７】
基地局は、データスケジューリングポリシに基づいて、各データブロックの決定されたサイズを取得し、ネットワークデータを少なくとも１つのデータブロックに分割し、各データブロックの決定されたＭＣＳに基づいて、各データブロックに対する変調及び符号化を実行し、物理データチャネルがネットワークデータを搬送するように、各データブロックが搬送される決定された時間−周波数リソースブロックロケーションに基づいて、各データブロックを、決定された対応する時間−周波数リソースブロックに追加し得る。
【０１０８】
加えて、基地局は、ネットワークデータのためのダウンリンク制御情報（Ｄｏｗｎｌｉｎｋ  Ｃｏｎｔｒｏｌ  Ｉｎｆｏｒｍａｔｉｏｎ、ＤＣＩ）を生成し得る。ＤＣＩは、物理データチャネル上の各ネットワークデータについてのリソースブロックロケーション、ＭＣＳ、初期送信及び再送関連の情報、レイヤ、及びプリコーディングなどの情報を示すために利用される。基地局は、巡回冗長検査（Ｃｙｃｌｉｃ  Ｒｅｄｕｎｄａｎｃｙ  Ｃｈｅｃｋ、ＣＲＣ））を通して又は別の方式でＤＣＩを物理制御チャネルに追加し得る。
【０１０９】
加えて、基地局は、ＤＣＩとグループスケジューリング識別子との間の対応関係を確立し得る。ＤＣＩを物理制御チャネルに追加した後、基地局は、スクランブリング（Ｓｃｒａｍｂｌｉｎｇ）を通して又は別の方式でＤＣＩに対応するグループスケジューリング識別子を物理制御チャネルに追加する。ＤＣＩは、グループスケジューリング識別子に対応するので、端末は、ＤＣＩに対応するグループスケジューリング識別子に基づいて、端末が物理制御チャネルをデコードしたときだけＤＣＩを取得することができ、別のグループスケジューリング識別子を利用して端末が物理制御チャネルをデコードしたときは、ＤＣＩを取得することができない。マルチキャストグループ内に存在しない端末は、グループスケジューリング識別子について知らないので、端末は、デコーディングを通してＤＣＩを取得することができず、ネットワークデータを取得することができない。従って、マルチキャストグループ内の端末だけがネットワークデータを取得できることが保証できる。
【０１１０】
５０４．マルチキャストグループ内の端末は、グループスケジューリング識別子に基づいて無線インターフェースリソースをデコードしてネットワークデータを取得する。
【０１１１】
実際の適用においては、端末が、ターゲットチャネル識別子に対応するネットワークデータを取得する必要があるとき、端末は、物理データチャネルをデコードしてネットワークデータをＰＤＳＣＨから取得する。具体的には、端末は、物理制御チャネルをリアルタイム又は周期的に検出し、ターゲットチャネル識別子に対応するグループスケジューリング識別子に基づいて物理制御チャネルをリアルタイム又は周期的にデコードする。基地局が、無線インターフェースリソースを利用して、ネットワークデータを配送した後、端末は、物理制御チャネルをデコードして物理制御チャネルに添付されたＤＣＩを取得し、ＤＣＩに基づいて、ネットワークデータのリソースブロックロケーション、及びネットワークデータの変調次数など、必要とされる情報を決定し得るし、言い換えると、物理データチャネルから、基地局によって配送されたネットワークデータを取得し得る。
【０１１２】
端末は、基地局によって送信されたグループスケジューリング識別子情報を受信し、グループスケジューリング識別子情報を保持し、その後、グループスケジューリング識別子情報に基づいて、ターゲットチャネル識別子に対応するグループスケジューリング識別子を決定するために、グループスケジューリング識別子情報を取得し得る。
【０１１３】
第１の可能な実装においては、グループスケジューリング識別子情報は、チャネル識別子とグループスケジューリング識別子との間の対応関係を含む。端末は、対応関係に基づいて、ターゲットチャネル識別子に対応するグループスケジューリング識別子を決定し得る。例えば、対応は、表５に示され得る。ターゲットチャネル識別子が、「マルチキャストＩＰ１」であるとき、端末は、グループスケジューリング識別子が「Ｇ−ＲＮＴＩ１」であると決定し得る。チャネル識別子は、チャネル名と、チャネルＩＰアドレスとを含み得るので、チャネル識別子とグループスケジューリング識別子との間の対応関係は、チャネル名とグループスケジューリング識別子との間の対応関係、及びチャネルＩＰアドレスとグループスケジューリング識別子との間の対応関係も含み得ることが留意されるべきである。
【０１１４】
【表５】
0006868120.tif 000006
【０１１５】
第２の可能な実装においては、グループスケジューリング識別子情報は、対応するチャネル識別子シーケンスで並べられたグループスケジューリング識別子のリストを含む。端末は、ターゲットチャネル識別子に対応するグループスケジューリング識別子としての役割を果たすように、ターゲットチャネル識別子のシーケンスに基づいて、グループスケジューリング識別子リスト内に存在し、且つシーケンスに一致するグループスケジューリング識別子を決定し得る。例えば、端末によって取得される必要があるターゲットチャネル識別子は、チャネル識別子における第２のチャネル識別子であり、グループスケジューリング識別子情報は、「Ｇ−ＲＮＴＩ１，Ｇ−ＲＮＴＩ２，．．．，Ｇ−ＲＮＴＩＮ」を含む。端末は、ターゲットチャネル識別子に対応するグループスケジューリング識別子は、「Ｇ−ＲＮＴＩ２」であると決定し得る。
【０１１６】
第３の可能な実装においては、グループスケジューリング識別子情報は、ターゲットチャネル識別子に対応するグループスケジューリング識別子を含み、言い換えると、グループスケジューリング識別子情報は、ターゲットチャネル識別子に対応するグループスケジューリング識別子、即ち、端末によって要求されたグループスケジューリング識別子だけを含み、別のグループスケジューリング識別子を含まない。端末は、グループスケジューリング識別子情報に含まれるグループスケジューリング識別子が、ターゲットチャネル識別子に対応するグループスケジューリング識別子であると直接的に決定し得る。
【０１１７】
端末が、複数のターゲットチャネル識別子に対応するネットワークデータを同時に取得する必要があるとき、端末は、各ターゲットチャネル識別子に対応するグループスケジューリング識別子を決定し、各グループスケジューリング識別子に基づいて、対応するネットワークデータを取得することが留意されるべきである。例えば、端末が、ＣＰＥであり、ＣＰＥが、少なくとも１つのＵＥに接続されるとき、各ＵＥは、１つのチャネル識別子を選択し得るし、ＣＰＥは、選択されたチャネル識別子に対応するネットワークデータを提供する必要がある。従って、ＣＰＥは、各ＵＥに提供される必要があるネットワークデータのターゲットチャネル識別子を決定する必要があり、各ターゲットチャネル識別子に基づいて、対応するネットワークデータを取得する。もちろん、各ターゲットチャネル識別子に対応するグループスケジューリング識別子に加えて、端末は、さらに、別のスケジューリング識別子を決定し、別のスケジューリング識別子に基づいて、ネットワークデータとは異なるデータを取得し得る。
【０１１８】
この実施形態において提供される方法においては、同じチャネル上のネットワークデータを取得する端末は、端末のマルチキャストグループ加入要求に基づいてマルチキャストグループにグループ化される。基地局は、１つの無線インターフェースリソースに基づいて、同じチャネル上のネットワークデータをマルチキャストグループ内の各端末に配送し、マルチキャストグループ内の各端末は、チャネルに対応するグループスケジューリング識別子に基づいてネットワークデータを取得し得る。加えて、いずれのチャネル上のネットワークデータについても、基地局は、ネットワークデータが、端末によって要求されたネットワークデータであるときだけネットワークデータを端末に配送する。従って、基地局と端末との間で、より少ない無線インターフェースリソースが占有される。
【０１１９】
さらに、ゲートウェイは、１つの通信リソースに基づいて同じチャネル上のネットワークデータを基地局に配送し、基地局は、通信リソースに基づいてネットワークデータを取得し得る。従って、ゲートウェイと基地局との間で、より少ない通信リソースが占有される。
【０１２０】
さらに、基地局は、マルチキャストグループ内の端末に対応するチャネル品質情報における最悪チャネル品質情報を選択し、最悪チャネル品質情報に基づいて、データスケジューリングポリシを決定し、データスケジューリングポリシに基づいて、ネットワークデータを配送する。従って、マルチキャストグループ内の各端末は、データ送信速度を高めるように、ネットワークデータを受信できることが保証できる。
【０１２１】
上述の実施形態に基づいて、日常生活において、端末が、頻繁に、チャネルを選択し、チャネルを切り換え、チャネルから離れることを考えると、その結果として、ネットワークデータを配送することを要求するために端末によって利用されるチャネル識別子は変化し、チャネル識別子に対応するマルチキャストグループも変化する。従って、各マルチキャストグループは、端末に対応する現在のチャネル識別子に基づいて動的に更新される必要がある。更新処理について、図６Ａ及び図６Ｂから図８に示される以下の実施形態を参照する。
【０１２２】
端末が、ターゲットチャネル上のネットワークデータを取得する必要があるとき、端末は、ターゲットチャネル識別子に対応するマルチキャストグループに追加される必要がある。従って、本開示は、ネットワークデータ処理方法を提供する。図６Ａ及び図６Ｂに示されるように、方法は、以下のステップを含む。
【０１２３】
６０１．端末は、マルチキャストグループ加入要求を基地局に送信する。
【０１２４】
端末は、チャネルリストインターフェースを表示し得るし、ユーザは、チャネルリストインターフェースにおいて選択操作を実行し得る。端末は、ユーザによって実行された選択操作に基づいて、選択操作に対応するターゲットチャネル識別子を決定し得る。代替として、電源がオンにされた後、端末は、端末がオフにされる前にユーザによって視聴されるネットワークデータのチャネル識別子を取得し、チャネル識別子をターゲットチャネル識別子として利用し得る。もちろん、端末は、さらに、別の方式でターゲットチャネル識別子を決定し得るし、例えば、デフォルトチャネル識別子をターゲットチャネル識別子として利用し得る。本開示において、これは限定されない。
【０１２５】
加えて、チャネルリストインターフェースを表示する前に、端末は、承認検証要求をサーバに送信し得る。承認検証要求は、端末識別子を搬送する。承認検証要求を受信した後、サーバは、端末識別子が承認された端末に対応すると決定したとき、承認成功通知を端末に送信し得る。承認成功通知は、各端末のチャネル識別子、チャネルシーケンス、及びユニフォームリソースロケータ（Ｕｎｉｆｏｒｍ  Ｒｅｓｏｕｒｃｅ  Ｌｏｃａｔｏｒ、ＵＲＬ）などを搬送し得る。承認成功通知を受信した後、端末は、チャネルリストインターフェースを表示する。
【０１２６】
ターゲットチャネル識別子を決定した後、端末は、マルチキャストグループ加入要求を基地局に送信する。マルチキャストグループ加入要求は、ターゲットチャネル識別子を搬送し、マルチキャストグループ加入要求は、端末をターゲットチャネル識別子に対応するマルチキャストグループに追加することを要求するために利用される。端末が、複数のチャネル識別子についての複数のマルチキャストグループ加入要求を送信し得ることを考えると、異なるマルチキャストグループについてのマルチキャストグループ加入要求が、互いに区別されることができるように、ターゲットチャネル識別子が、マルチキャストグループ加入要求に追加される。
【０１２７】
６０２．基地局は、端末によって送信されたマルチキャストグループ加入要求を受信し、第１のチャネルレコード情報を取得する。
【０１２８】
端末によって送信されたマルチキャストグループ加入要求を受信した後、基地局は、端末の端末識別子を決定し得る。
【０１２９】
可能な実装においては、基地局は、１つのアップリンク送信リソースを各端末に割り当て、アップリンク送信リソースは、マルチキャストグループ加入要求を送信する異なる端末を区別するために利用される。上述のステップ６０１において、端末は、割り当てられたアップリンク送信リソースに基づいて、マルチキャストグループ加入要求を基地局に送信し得る。アップリンク送信リソースに基づいてマルチキャストグループ加入要求を受信した後、基地局は、アップリンク送信リソースを利用して端末の端末識別子を決定し得る。アップリンク送信リソースは、スロット、及びサブキャリアなどを含み得る。
【０１３０】
別の可能な実装においては、上述のステップ６０１において、端末は、端末の端末識別子をマルチキャストグループ加入要求に追加し、マルチキャストグループ加入要求を送信し得る。マルチキャストグループ加入要求を受信した後、基地局は、マルチキャストグループ加入要求において搬送された端末識別子を取得し得る。
【０１３１】
実際の適用においては、端末は、複数の要求、例えば、マルチキャストグループ加入要求及びマルチキャストグループ脱退要求を基地局に送信し得る。従って、異なる要求を区別するために、基地局は、各要求のフォーマット、コンテンツ、及びルーティングアドレス情報を検出して要求のタイプを決定し得る。加えて、端末は、さらに、複数のマルチキャストグループ加入要求を基地局に送信し得るし、異なるマルチキャストグループ加入要求は、異なるマルチキャストグループに追加される。
【０１３２】
可能な実装においては、端末は、第１の事前設定されたフォーマットに基づいて、マルチキャストグループ加入要求を送信し得るし、又は第１の事前設定されたコンテンツをマルチキャストグループ加入要求に追加し得る。基地局は、いずれの要求についてもフォーマット及びコンテンツのうちの少なくとも一方を検出し得る。要求のフォーマットが第１の事前設定されたフォーマットであるとき、又は要求のコンテンツが第１の事前設定されたコンテンツを含むとき、基地局は、要求がマルチキャストグループ加入要求であると決定する。
【０１３３】
別の可能な実装においては、端末は、ターゲットチャネル識別子を、マルチキャストグループ加入要求のルーティングアドレスとして設定し得る。基地局が、いずれかの要求を受信したときに、基地局が、要求のルーティングアドレスはターゲットチャネル識別子であると決定した場合、基地局は、要求がマルチキャストグループ加入要求であると決定し、マルチキャストグループ加入要求が、ターゲットチャネル識別子に対応するマルチキャストグループに追加されると決定する。
【０１３４】
端末によって送信されたマルチキャストグループ加入要求を受信した後、基地局は、マルチキャストグループ加入要求内のターゲットチャネル識別子を取得し、第１のチャネルレコード情報を取得する。第１のチャネルレコード情報は、各マルチキャストグループにおける端末識別子を記録する。基地局は、第１のチャネルレコード情報を利用して、端末識別子をターゲットチャネル識別子に対応するマルチキャストグループに追加し得る。
【０１３５】
任意選択で、マルチキャストグループ加入要求を受信した後、基地局は、マルチキャストグループ加入要求をゲートウェイに送信し得る。ゲートウェイによって返されたマルチキャストグループ加入通知を受信したとき、言い換えると、端末識別子をマルチキャストグループに追加することをゲートウェイが同意したことを確認したとき、基地局は、第１のチャネルレコード情報を取得する。マルチキャストグループ加入通知は、ターゲットチャネル識別子を搬送する。
【０１３６】
基地局は、端末に対応する通信リソースを利用して、マルチキャストグループ加入要求を別々にゲートウェイに送信し得る。マルチキャストグループ加入要求を受信したとき、ゲートウェイは、いずれのマルチキャストグループ加入要求に対応する端末も、通信リソースに対応する端末のうちで決定し得る。代替として、基地局は、マルチキャストグループ加入要求が送信されたときに利用されたアップリンク送信リソースを利用して、マルチキャストグループ加入要求に対応する端末を決定し、それに対応して、端末の端末識別子をマルチキャストグループ加入要求に追加し、ターゲットチャネル識別子に割り当てられた統合された通信リソースを利用して、マルチキャストグループ加入要求をゲートウェイに送信し得る。マルチキャストグループ加入要求を受信したとき、ゲートウェイは、マルチキャストグループ加入要求で搬送された端末識別子を利用して、いずれのマルチキャストグループ加入要求に対応する端末識別子も決定し得る。
【０１３７】
６０３．第１のチャネルレコード情報がターゲットチャネル識別子に対応するグループスケジューリング識別子を含まないとき、基地局は、ターゲットチャネル識別子に対応するグループスケジューリング識別子を決定する。
【０１３８】
第１のチャネルレコード情報が、ターゲットチャネル識別子を含まないとき、基地局は、ターゲットチャネル識別子に対応するグループスケジューリング識別子を取得し、第１のターゲットレコードエントリを第１のチャネルレコード情報に追加する。第１のターゲットレコードエントリは、ターゲットチャネル識別子と、グループスケジューリング識別子と、端末識別子とを含む。
【０１３９】
代替として、第１のターゲットレコードエントリがターゲットチャネル識別子を含むが、ターゲットチャネル識別子に対応するグループスケジューリング識別子及びマルチキャストグループの両方が空であるとき、基地局は、ターゲットチャネル識別子に対応するグループスケジューリング識別子を取得し、それに対応して、決定されたグループスケジューリング識別子、及び端末識別子を、ターゲットチャネル識別子に対応する第１のターゲットレコードエントリに追加する。
【０１４０】
ターゲットチャネル識別子に対応するグループスケジューリング識別子を決定することは、グループスケジューリング識別子をターゲットチャネル識別子に割り当てること、又は、事前設定された構成情報からターゲットチャネル識別子に対応するグループスケジューリング識別子を取得すること、又は、ターゲットチャネル識別子に対応し、且つゲートウェイによって送信されたグループスケジューリング識別子を受信することであり得る。
【０１４１】
可能な実装においては、基地局は、グループスケジューリング識別子をターゲットチャネル識別子に割り当て得る。基地局は、スケジューリング識別子（Ｇｒｏｕｐ−Ｒａｄｉｏ  Ｎｅｔｗｏｒｋ  Ｔｅｍｐｏｒａｒｙ  Ｉｄｅｎｔｉｆｉｅｒ、ＲＮＴＩ）割り当て空間を取得し得るし、ＲＮＴＩ割り当て空間は、複数の割り当てられるべきグループスケジューリング識別子を保持する。グループスケジューリング識別子に加えて、ＲＮＴＩ割り当て空間は、さらに、別のタイプのスケジューリング識別子、例えば、セル無線ネットワーク一時識別（Ｃｅｌｌ  Ｒａｄｉｏ  Ｎｅｔｗｏｒｋ  Ｔｅｍｐｏｒａｒｙ  Ｉｄｅｎｔｉｆｙ，  Ｃ−ＲＮＴＩ）、システム情報無線ネットワーク一時識別（Ｓｙｓｔｅｍ  Ｉｎｆｏｒｍａｔｉｏｎ  Ｒａｄｉｏ  Ｎｅｔｗｏｒｋ  Ｔｅｍｐｏｒａｒｙ  Ｉｄｅｎｔｉｆｙ，  ＳＩ−ＲＮＴＩ）、又はページング無線ネットワーク一時識別（Ｒａｄｉｏ  Ｎｅｔｗｏｒｋ  Ｔｅｍｐｏｒａｒｙ  Ｉｄｅｎｔｉｆｙ，  Ｐ−ＲＮＴＩ）を含み得るし、言い換えると、グループスケジューリング識別子と、別のタイプのスケジューリング識別子は、ＲＮＴＩ割り当て空間を共用し得る。基地局は、ＲＮＴＩ割り当て空間から、現在アイドルのグループスケジューリング識別子を選択し、そのグループスケジューリング識別子を、ターゲットチャネル識別子に対応するグループスケジューリング識別子として利用し得る。
【０１４２】
第２の可能な実装においては、チャネル識別子とグループスケジューリング識別子との間の対応関係は事前決定され得るし、事前設定された構成情報内に保持される。このケースにおいては、基地局は、事前設定された構成情報を取得し、事前設定された構成情報に基づいて、ターゲットチャネル識別子に対応するグループスケジューリング識別子を取得し得る。
【０１４３】
第３の可能な実装においては、ゲートウェイは、基地局に取って代わって、ターゲットチャネル識別子に対応するグループスケジューリング識別子を決定し、グループスケジューリング識別子を基地局に送信し得る。基地局は、グループスケジューリング識別子を受信し、グループスケジューリング識別子とターゲットチャネル識別子との間の対応関係を確立し得る。
【０１４４】
ターゲットチャネル識別子に対応するグループスケジューリング識別子と、端末識別子を決定した後、基地局は、第１のターゲットレコードエントリを第１のチャネルレコード情報に追加し得る。第１のターゲットレコードエントリは、ターゲットチャネル識別子、グループスケジューリング識別子、及び端末識別子のうちの１つ又は複数を含み、第１のターゲットレコードエントリは、ターゲットチャネル識別子とグループスケジューリング識別子と端末識別子との間の対応関係を記録するために利用される。
【０１４５】
任意選択で、特定のマルチキャストグループ内に、ただ１つの端末しか存在しないとき、基地局は、グループスケジューリング識別子を割り当てなくてよく、端末に割り当てられた指定されたスケジューリング識別子を利用してネットワークデータを配送する。言い換えると、基地局は、端末のチャネル品質情報に基づいてネットワークデータを端末に送信する必要があるだけであり、別の端末について考える必要はない。
【０１４６】
具体的には、基地局がデータを特定の端末に配送する必要があるとき、基地局は、指定されたスケジューリング識別子を予め端末に割り当て、指定されたスケジューリング識別子を利用してデータを端末に配送する。指定されたスケジューリング識別子は、異なる端末を区別するために利用される。指定されたスケジューリング識別子が、いずれかのデータを配送するために利用されるとき、それは、データが、指定されたスケジューリング識別子によって示される端末に配送され、その端末以外のいずれの端末にも配送されないことを示す。指定されたスケジューリング識別子は、Ｃ−ＲＮＴＩであり得る。
【０１４７】
従って、いずれのマルチキャストグループについても、マルチキャストグループが、ただ１つの端末識別子しか含まないとき、基地局は、グループスケジューリング識別子を、マルチキャストグループ内のターゲットチャネル識別子に割り当てる必要がないことがあり、端末識別子によって示される端末に割り当てられた指定されたスケジューリング識別子を利用して、ネットワークデータを直接的に配送する。端末は、指定されたスケジューリング識別子に基づいて無線インターフェースリソースをデコードして、ネットワークデータを取得し得る。チャネル品質情報に加えて、端末は、さらに、ハイブリッド自動再送要求（Ｈｙｂｒｉｄ  Ａｕｔｏｍａｔｉｃ  Ｒｅｐｅａｔ  Ｒｅｑｕｅｓｔ、ＨＡＲＱ）フィードバックを基地局に送信する必要がある。基地局は、ＨＡＲＱフィードバックを利用して、端末がネットワークデータの取得に成功したかどうかを知り得る。
【０１４８】
加えて、他の端末が、マルチキャストグループに追加され、マルチキャストグループが複数の端末識別子を含むとき、端末の指定されたスケジューリング識別子は異なる。従って、基地局は、統合されたグループスケジューリング識別子をマルチキャストグループに割り当てる必要があり、マルチキャストグループにおける端末識別子によって示される端末は、同じグループスケジューリング識別子に基づいてネットワークデータを取得する。加えて、端末は、ＨＡＲＱフィードバックを基地局に送信する必要はなく、チャネル品質情報を基地局に送信することが必要なだけである。
【０１４９】
第１のチャネルレコード情報が、各チャネル識別子に対応するグループスケジューリング識別子も事前保持し得ることを考えると、基地局は、ターゲットチャネル識別子に対応するグループスケジューリング識別子を取得する必要がなく、グループスケジューリング識別子を第１のチャネルレコード情報に繰り返し追加する必要もないことが留意されるべきである。このケースにおいては、ステップ６０３は、さらに、以下のステップ６１３によって取って代わられ得る。
【０１５０】
６１３．第１のチャネルレコード情報が、ターゲットチャネル識別子と、ターゲットチャネル識別子に対応するグループスケジューリング識別子とを含み、ターゲットチャネル識別子に対応するマルチキャストグループが空であるとき、基地局は、それに対応して、端末識別子を、ターゲットチャネル識別子に対応する第１のターゲットレコードエントリに追加する。
【０１５１】
６０４．基地局は、グループスケジューリング識別子情報を端末に送信する。
【０１５２】
基地局は、専用シグナリングを端末に送信し、グループスケジューリング識別子情報を専用シグナリングに追加し得る。専用シグナリングは、無線リソース制御（Ｒａｄｉｏ  Ｒｅｓｏｕｒｃｅ  Ｃｏｎｔｒｏｌ、ＲＲＣ）シグナリングであり得るし、又はもちろん別のシグナリングであり得る。
【０１５３】
可能な実装においては、基地局は、ターゲットチャネル識別子に対応するグループスケジューリング識別子を決定するために、第１のチャネルレコード情報を問い合わせ、グループスケジューリング識別子だけに基づいてグループスケジューリング識別子情報を端末に送信し得る。このケースにおいては、グループスケジューリング識別子情報は、ターゲットチャネル識別子に対応するグループスケジューリング識別子だけを含み得るし、又はターゲットチャネル識別子とグループスケジューリング識別子との間の対応関係だけを含み得る。
【０１５４】
別の可能な実装においては、基地局は、ターゲットチャネル識別子に対応するグループスケジューリング識別子を決定する必要はなく、全てのチャネル識別子に対応するグループスケジューリング識別子を端末に送信し得る。このケースにおいては、グループスケジューリング識別子情報は、端末が、いずれのチャネル識別子にも対応するグループスケジューリング識別子について知ることができることを保証するために、各チャネル識別子に対応するグループスケジューリング識別子、又は各チャネル識別子とグループスケジューリング識別子との間の対応関係を含む。従って、端末が、特定のチャネル識別子に対応するネットワークデータを取得する必要があるたびに、端末は、決定されたグループスケジューリング識別子に基づいてネットワークデータを受信し得るし、グループスケジューリング識別子情報を再び取得する必要はない。従って、端末が、チャネルを切り換え、ターゲットチャネル識別子以外のチャネル識別子に対応するネットワークデータを取得する必要があるとき、基地局は、グループスケジューリング識別子情報を再び取得する必要はない。
【０１５５】
各端末のチャネル識別子が変化し得ることを考えると、チャネル識別子が変化したことを基地局が検出したとき、基地局は、更新されたチャネル識別子とグループスケジューリング識別子との間の対応関係を再決定し、更新されたグループスケジューリング識別子情報を生成し、グループスケジューリング識別子情報を端末に送信することが留意されるべきである。
【０１５６】
６０５．基地局は、ネットワークデータ要求をゲートウェイに送信する。
【０１５７】
ネットワークデータ要求は、ターゲットチャネル識別子を搬送し、ネットワークデータ要求は、ターゲットチャネル識別子に対応するネットワークデータを取得することを要求するために利用される。
【０１５８】
６０６．ゲートウェイは、基地局によって送信されたネットワークデータ要求を受信し、第２のチャネルレコード情報を取得し、ターゲットチャネル識別子及び基地局識別子に対応する通信リソース識別子を決定し、第２のターゲットレコードエントリを第２のチャネルレコード情報に追加し、ネットワークデータ要求をサーバに送信する。
【０１５９】
ネットワークデータ要求を受信した後、ゲートウェイは、第２のチャネルレコード情報を取得する。図５における実施形態においては、第２のチャネルレコード情報は、表１に示されたものであり得る。ターゲットチャネル識別子及び基地局識別子に対応する通信リソース識別子を決定することは、通信リソース識別子をターゲットチャネル識別子及び基地局識別子に割り当てることを含み得る。例えば、ゲートウェイは、現在アイドルの通信リソースから１つの通信リソースを選択し、通信リソースの通信リソース識別子を、ターゲットチャネル識別子及び基地局識別子に割り当てられた通信リソース識別子として利用し得る。
【０１６０】
代替として、ターゲットチャネル識別子及び基地局識別子に対応する通信リソース識別子を決定することは、事前設定された構成情報から、ターゲットチャネル識別子及び基地局識別子に対応する通信リソース識別子を取得することを含み得る。例えば、ゲートウェイは、事前設定された構成情報を取得し得るし、事前設定された構成情報は、チャネル識別子と基地局識別子と通信リソース識別子との間の対応関係を含む。ゲートウェイは、事前設定された構成情報から、ターゲットチャネル識別子及び基地局識別子に対応する通信リソース識別子を取得し得る。
【０１６１】
実際の適用においては、ゲートウェイは、複数の基地局に接続され得るし、又はただ１つの基地局に接続され得ることが留意されるべきである。ゲートウェイが、ただ１つの指定された基地局に接続されるとき、第２のチャネルレコード情報は、指定された基地局によって要求された、各チャネル識別子及び対応する通信リソース識別子を記録するために排他的に利用され、指定された基地局以外の基地局には関連しない。表６に示されるように、第２のチャネルレコード情報は、基地局識別子を含まなくてよく、互いに対応するチャネル識別子と通信リソース識別子だけを含む。それに対応して、ゲートウェイが、指定された基地局によって送信されたネットワークデータ要求を受信した後、追加される第２のチャネルレコード情報は、基地局識別子を含まず、ターゲットチャネル識別子及び対応する通信リソース識別子だけを含む。
【０１６２】
【表６】
0006868120.tif 000007
【０１６３】
さらに、指定された基地局について、ゲートウェイは、さらに、指定された通信リソースを利用して、チャネル上のネットワークデータを指定された基地局に配送し得るし、チャネル識別子は、同じ通信リソース識別子、即ち、指定された通信リソースの通信リソース識別子に対応する。第２のチャネルレコード情報は、指定された通信リソース以外のいずれの通信リソースとも関連しない。従って、図７に示されるように、第２のチャネルレコード情報は、通信リソース識別子を記録する必要がなく、チャネル識別子を記録する必要があるだけである。
【０１６４】
【表７】
0006868120.tif 000008
【０１６５】
６０７．サーバは、ネットワークデータ要求を受信し、ネットワークデータ要求で搬送されたターゲットチャネル識別子を決定し、ターゲットチャネル識別子に対応するネットワークデータをゲートウェイに送信する。
【０１６６】
６０８．ゲートウェイは、サーバによって配送されたネットワークデータを受信し、決定された通信リソースを利用して、ネットワークデータを基地局に配送する。
【０１６７】
このステップは、ステップ５０２と同様である。詳細は、本明細書では再び説明されない。
【０１６８】
６０９．基地局は、ゲートウェイによって配送されたネットワークデータを受信し、マルチキャストグループに対応する無線インターフェースリソースを利用し、決定されたグループスケジューリング識別子及びマルチキャストグループに基づいてネットワークデータを配送する。
【０１６９】
上述のステップ６０８において、ゲートウェイが、指定された通信リソースを利用して、チャネル上のネットワークデータを指定された基地局に配送するとき、異なるチャネル上のネットワークデータは、異なる送信先ＩＰアドレスを有するので、指定された基地局は、送信先ＩＰアドレスを利用して、チャネル上のネットワークデータを区別し得ることが留意されるべきである。具体的には、いずれかのネットワークデータを受信したとき、指定された基地局は、ネットワークデータの送信先ＩＰアドレスを決定し、送信先ＩＰアドレスに基づいて、ネットワークデータに対応するチャネル識別子を決定し、チャネル識別子に対応するグループスケジューリング識別子を選択し、ネットワークデータを配送する。
【０１７０】
このステップは、ステップ５０３と同様である。詳細は、本明細書では再び説明されない。
【０１７１】
６１０．端末は、受信されたグループスケジューリング識別子情報に基づいてグループスケジューリング識別子を決定し、グループスケジューリング識別子に基づいて無線インターフェースリソースをデコードしてネットワークデータを取得する。
【０１７２】
このステップは、ステップ５０４と同様である。詳細は、本明細書では再び説明されない。
【０１７３】
この実施形態において提供される方法においては、端末によって送信されたマルチキャストグループ加入要求が受信された後、端末の端末識別子がターゲットチャネル識別子に対応するマルチキャストグループに追加される。従って、マルチキャストグループは、動的に更新されることができ、ターゲットチャネル識別子に対応するネットワークデータを要求するいずれの端末も省かれない。
【０１７４】
上述の実施形態に基づいて、ターゲットチャネル識別子に対応するマルチキャストグループが別の端末識別子をすでに含み、基地局が、端末によって送信され、且つターゲットチャネル識別子が追加されたマルチキャストグループ要求を受信したとき、基地局は、ゲートウェイによって配送されたネットワークデータを取得しているので、基地局は、ネットワークデータ要求をゲートウェイに再送して、ネットワークデータを繰り返し取得する必要はなく、言い換えると、上述のステップ６０５及び６０６を実行する必要はない。代替として、基地局は、第１のチャネルレコード情報を更新し、端末をマルチキャストグループに追加するために、マルチキャストグループ加入要求をゲートウェイに送信し得る。基地局は、無線インターフェースリソース上においてネットワークデータを配送したので、基地局は、ネットワークデータを繰り返し配送する必要はなく、言い換えると、上述のステップ６０９を実行する必要はなく、端末の端末識別子をマルチキャストグループに追加する必要があるだけである。
【０１７５】
端末識別子が、マルチキャストグループに追加された後、端末識別子が、現在のマルチキャストグループにおける最悪チャネル品質を有する端末に対応する端末識別子であると決定されたとき、基地局は、ゲートウェイによって配送されたネットワークデータを受信したとき、端末識別子に対応する端末のチャネル品質情報に基づいて、データスケジューリングポリシを更新する必要があり、更新されたデータスケジューリングポリシと、グループスケジューリング識別子とに基づいてネットワークデータを配送し続けることが留意されるべきである。端末識別子が、現在のマルチキャストグループにおける最悪チャネル品質を有する端末に対応する端末識別子でないとき、基地局は、ゲートウェイによって配送されたネットワークデータを受信したとき、端末識別子のチャネル品質に基づいてデータスケジューリングポリシを決定する必要はない。
【０１７６】
上述の実施形態とは異なり、基地局は、さらに、グループスケジューリング識別子を各チャネル識別子に予め割り当て、端末がマルチキャストグループ加入要求を送信する前に、グループスケジューリング識別子情報を端末に送信し得る。具体的には、図７に示されるように、方法は、以下のステップを含む。
【０１７７】
７０１．基地局は、グループスケジューリング識別子情報を端末に送信する。
【０１７８】
７０２．端末は、グループスケジューリング識別子情報を受信して保持する。
【０１７９】
可能な実装においては、基地局は、グループスケジューリング識別子情報をブロードキャストし得る。例えば、基地局は、グループスケジューリング識別子情報をシステム情報に追加し得る。システム情報をブロードキャストするとき、基地局は、グループスケジューリング識別子情報をブロードキャストする。いずれの端末についても、端末が、基地局によってカバーされるセル内に存在するとき、端末は、システム情報を受信し、システム情報で搬送されるグループスケジューリング識別子情報を取得し得る。言い換えると、セルにアクセスするいずれの端末も、グループスケジューリング識別子情報を取得し得る。代替として、端末が、ネットワークデータを取得する必要があるときだけ、端末は、システム情報で搬送されるグループスケジューリング識別子情報を能動的に取得し得る。端末が、ネットワークデータを取得する必要がないとき、端末は、システム情報を受信するが、端末は、グループスケジューリング識別子情報を取得しない。
【０１８０】
別の可能な実装においては、いずれの接続された端末も、電源がオンにされ、承認検証要求を基地局に送信した後、基地局は、グループスケジューリング識別子情報を端末に送信し得る。例えば、基地局は、専用シグナリングを、接続された端末に送信し、グループスケジューリング識別子情報を専用シグナリングに追加し得る。代替として、端末が、基地局によってカバーされるセルに入り、基地局に接続される必要があるとき、端末は、接続要求を基地局に送信し、ネットワークデータサービス情報を接続要求に追加し得る。接続要求を受信し、ネットワークデータサービス情報を取得した後、基地局は、端末への接続を確立し、端末への接続上においてグループスケジューリング識別子情報を端末に送信し得る。
【０１８１】
グループスケジューリング識別子情報は、チャネル識別子とグループスケジューリング識別子との間の対応関係、又は対応するチャネル識別子シーケンスで並べられた複数のグループスケジューリング識別子を含む。
【０１８２】
基地局は、グループスケジューリング識別子情報を予め送信し、言い換えると、各チャネル識別子に対応するグループスケジューリング識別子について端末に通知する。従って、その後、マルチキャストグループ加入要求を送信した後、端末は、ネットワークデータを取得するために、グループスケジューリング識別子情報に基づいて、ターゲットチャネル識別子に対応するグループスケジューリング識別子を直接的に取得し得るし、基地局によって配送されるグループスケジューリング識別子情報を待つ必要はない。従って、動作手順は簡略化され、ネットワークデータ処理スピードが高められる。加えて、端末が、チャネルを切り換えたとき、基地局は、切り換えられたチャネル識別子に対応するグループスケジューリング識別子を再び配送する必要はなく、そのため、端末は、グループスケジューリング識別子情報に基づいて、いずれのチャネル上のネットワークデータも速やかに取得する。
【０１８３】
７０３．端末は、マルチキャストグループ加入要求を基地局に送信する。
【０１８４】
７０４．基地局は、端末によって送信されたマルチキャストグループ加入要求を受信し、第１のチャネルレコード情報を取得し、端末の端末識別子をターゲットチャネル識別子に対応するマルチキャストグループに追加する。
【０１８５】
７０５．端末は、グループスケジューリング識別子情報に基づいて、ターゲットチャネル識別子に対応するグループスケジューリング識別子を決定し、グループスケジューリング識別子に基づいて無線インターフェースリソースをデコードして、ネットワークデータを取得する。
【０１８６】
端末が、ターゲットチャネルを離れるとき、言い換えると、ターゲットチャネル識別子に対応するネットワークデータをもはや取得しないとき、端末の端末識別子は、ターゲットチャネル識別子に対応するマルチキャストグループから削除される必要がある。具体的には、図８に示されるように、方法は、以下のステップを含む。
【０１８７】
８０１．端末は、マルチキャストグループ脱退要求を基地局に送信する。
【０１８８】
チャネルを切り換えるか又はチャネルを離れるなどの操作を検出したとき、端末は、ターゲットチャネル識別子に対応するネットワークデータは、ユーザに表示される必要はないと決定し得る。このケースにおいては、端末は、マルチキャストグループ脱退要求を基地局に送信し得るし、マルチキャストグループ脱退要求は、ターゲットチャネル識別子を搬送する。
【０１８９】
端末が少なくとも１つのＵＥに接続され、ネットワークデータを少なくとも１つのＵＥに提供するとき、端末は、受信されたネットワークデータをキャッシュ内に保持し得る。いずれのターゲットチャネル識別子に対応するネットワークデータについても、ネットワークデータを要求するＵＥが少なくとも１つのＵＥのうちに存在しないとき、端末は、ネットワークデータをキャッシュから削除し得る。
【０１９０】
８０２．基地局は、マルチキャストグループ脱退要求を受信し、第１のチャネルレコード情報を取得し、ターゲットチャネル識別子に対応するマルチキャストグループから、端末の端末識別子を削除する。
【０１９１】
端末によって送信されたマルチキャストグループ脱退要求を受信した後、基地局は、端末の端末識別子を決定し得る。
【０１９２】
具体的には、基地局は、１つのアップリンク送信リソースを各端末に割り当て、アップリンク送信リソースは、マルチキャストグループ脱退要求を送信する異なる端末を区別するために利用される。上述のステップ８０１において、端末は、割り当てられたアップリンク送信リソースに基づいて、マルチキャストグループ脱退要求を基地局に送信し得る。アップリンク送信リソースに基づいてマルチキャストグループ脱退要求を受信した後、基地局は、アップリンク送信リソースを利用して端末の端末識別子を決定し得る。
【０１９３】
加えて、上述のステップ８０１において、端末は、端末の端末識別子をマルチキャストグループ脱退要求に追加し、マルチキャストグループ脱退要求を送信し得る。マルチキャストグループ脱退要求を受信した後、基地局は、マルチキャストグループ脱退要求で搬送される端末識別子を取得し得る。
【０１９４】
可能な実装においては、端末は、第２の事前設定されたフォーマットに基づいて、マルチキャストグループ脱退要求を送信し得るし、又は第２の事前設定されたコンテンツをマルチキャストグループ脱退要求に追加し得る。基地局は、いずれの要求についても、フォーマット及びコンテンツのうちの少なくとも一方を検出し得る。要求のフォーマットが第２の事前設定されたフォーマットであるとき、又は要求のコンテンツが第２の事前設定されたコンテンツを含むとき、基地局は、要求がマルチキャストグループ脱退要求であると決定する。加えて、第２の事前設定されたコンテンツは、ターゲットチャネル識別子を含み得るし、マルチキャストグループ脱退要求は、第２の事前設定されたコンテンツを搬送することによってターゲットチャネル識別子を搬送する。
【０１９５】
別の可能な実装においては、端末は、事前設定されたルーティングアドレスを、マルチキャストグループ脱退要求のルーティングアドレスとして設定し得る。基地局がいずれかの要求を受信したとき、基地局が要求のルーティングアドレスが事前設定されたルーティングアドレスであると決定した場合、基地局は、要求がマルチキャストグループ脱退要求であると決定する。事前設定されたルーティングアドレスは、２２４．０．０．２であり得る。
【０１９６】
任意選択で、マルチキャストグループ脱退要求を受信した後、基地局は、マルチキャストグループ脱退要求をゲートウェイに送信し得る。ゲートウェイから返されたマルチキャストグループ離脱通知を受信したとき、基地局は、第１のチャネルレコード情報を取得する。マルチキャストグループ離脱通知は、ターゲットチャネル識別子及び端末識別子を搬送する。
【０１９７】
基地局は、端末に対応する通信リソースを利用して、マルチキャストグループ脱退要求を別々にゲートウェイに送信し得る。マルチキャストグループ脱退要求を受信したとき、ゲートウェイは、通信リソースに対応する端末のうちで、いずれのマルチキャストグループ脱退要求に対応する端末も決定し得る。代替として、基地局は、マルチキャストグループ脱退要求に対応する端末識別子を決定し、それに対応して、端末識別子をマルチキャストグループ脱退要求に追加し、ターゲットチャネル識別子に割り当てられた統合された通信リソースを利用して、マルチキャストグループ脱退要求をゲートウェイに送信し得る。マルチキャストグループ脱退要求を受信したとき、ゲートウェイは、マルチキャストグループ脱退要求で搬送された端末識別子を利用して、いずれのマルチキャストグループ脱退要求に対応する端末も決定し得る。
【０１９８】
端末識別子が、ターゲットチャネル識別子に対応するマルチキャストグループから削除されたあと、マルチキャストグループにおける端末識別子の量は変化し、言い換えると、マルチキャストグループは更新されることが留意されるべきである。従って、ターゲットチャネル識別子に対応し、且つゲートウェイによって配送されたネットワークデータを受信した後、基地局は、更新されたマルチキャストグループ内における端末識別子のチャネル品質情報に基づいて最悪チャネル品質情報を再決定する必要がある。最悪チャネル品質情報が変化した場合、基地局は、ネットワークデータを配送するために、現在の最悪チャネル品質情報に基づいて、データスケジューリングポリシを再決定する必要がある。
【０１９９】
基地局は、常に、現在のマルチキャストグループにおける最悪チャネル品質情報に基づいてデータスケジューリングポリシを決定し、言い換えると、マルチキャストグループにおける端末識別子の量が増加又は減少するにつれて、基地局は、継続的に、データスケジューリングポリシを更新する。従って、信頼性を改善するために、マルチキャストグループ内の各端末が、ネットワークデータの取得に成功できることが保証できる。
【０２００】
端末識別子が、マルチキャストグループから削除されるので、マルチキャストグループにおける端末識別子の量は減少することがさらに留意されるべきである。マルチキャストグループが少なくとも１つの端末識別子を含むとき、言い換えると、マルチキャストグループが空でないとき、基地局は、上述の実施形態におけるゲートウェイによって配送されたネットワークデータを受信するステップを依然として実行する。マルチキャストグループが端末識別子を含まないとき、言い換えると、マルチキャストグループが空であるとき、基地局は、マルチキャストグループに対応するネットワークデータを取得する必要はない。このケースにおいては、基地局は、ネットワークデータ配送停止要求をゲートウェイに送信し得るし、ネットワークデータ配送停止要求は、基地局の基地局識別子、及びマルチキャストグループに対応するチャネル識別子を搬送する。ネットワークデータ配送停止要求を受信したとき、ゲートウェイは、第２のチャネルレコード情報から、チャネル識別子及び基地局識別子に対応するレコードエントリを削除する。代替として、ゲートウェイがマルチキャストグループ脱退要求を受信するたびに、ゲートウェイは、マルチキャストグループ脱退要求のチャネル識別子を決定し、チャネル識別子に対応するネットワークデータを要求した端末が、基地局に接続された端末のうちに存在するかどうかを決定し得る。ネットワークデータを要求した端末が、端末のうちに存在しないとき、ゲートウェイは、第２のチャネルレコード情報から、チャネル識別子及び基地局識別子に対応するレコードエントリを削除する。
【０２０１】
図９は、本開示の実施形態に応じた基地局の概略構造図である。図９を参照すると、基地局は、受信機９０１と、送信機９０２と、メモリ９０３と、プロセッサ９０４とを含む。受信機９０１、送信機９０２、及びメモリ９０３の各々は、プロセッサ９０４に接続される。メモリ９０３は、プログラムコードを保持する。プロセッサ９０４は、プログラムコードを起動し、上述の方法実施形態において基地局によって実行される動作を実行するように構成される。
【０２０２】
図１０は、本開示の実施形態に従った、端末の概略構造図である。図１０を参照すると、端末は、受信機１００１と、送信機１００２と、メモリ１００３と、プロセッサ１００４とを含む。受信機１００１、送信機１００２、及びメモリ１００３の各々は、プロセッサ１００４に接続される。メモリ１００３は、プログラムコードを保持する。プロセッサ１００４は、プログラムコードを起動し、上述の方法実施形態において端末によって実行される動作を実行するように構成される。
【０２０３】
図１１は、本開示の実施形態に応じたゲートウェイの概略構造図である。図１１を参照すると、ゲートウェイは、受信機１１０１と、送信機１１０２と、メモリ１１０３と、プロセッサ１１０４とを含む。受信機１１０１、送信機１１０２、及びメモリ１１０３の各々は、プロセッサ１１０４に接続される。メモリ１１０３は、プログラムコードを保持する。プロセッサ１１０４は、プログラムコードを起動し、上述の方法実施形態においてゲートウェイによって実行される動作を実行するように構成される。
【０２０４】
実施形態のステップの全て又はいくつかは、ハードウェア、又は関連するハードウェアに命令するプログラムによって実装され得ることを当業者は理解し得る。プログラムは、コンピュータ可読保持媒体内に保持され得る。上で言及された保持媒体は、リードオンリメモリ、磁気ディスク、又は光ディスクなどであり得る。
【０２０５】
上述の説明は、本開示の例示的な実施形態であるにすぎず、本開示を限定することは意図されていない。本開示の主旨及び原理から逸脱することなく行われる、いずれの変更、等価的な置換、又は改善も、本開示の保護範囲内に包含されるべきである。
【図１Ａ】
0006868120.tif 000009
【図１Ｂ】
0006868120.tif 000010
【図１Ｃ】
0006868120.tif 000011
【図１Ｄ】
0006868120.tif 000012
【図２】
0006868120.tif 000013
【図３】
0006868120.tif 000014
【図４】
0006868120.tif 000015
【図５】
0006868120.tif 000016
【図６Ａ】
0006868120.tif 000017
【図６Ｂ】
0006868120.tif 000018
【図７】
0006868120.tif 000019
【図８】
0006868120.tif 000020
【図９】
0006868120.tif 000021
【図１０】
0006868120.tif 000022
【図１１】
0006868120.tif 000023